(57)【要約】      （修正有）【課題】ＬＴＥアドバンスト無線通信システムにおいて送信モード１０（ＴＭ１０）の物理的ダウンリンク共有チャンネル（ＰＤＳＣＨ）のための送信スキーム及びＱＣＬ仮定を提供する。【解決手段】ＵＥは、サービングセルに対してＴＭ１０から構成される時、ＤＣＩフォーマット１ＡによってスケジューリングされたＰＤＳＣＨ送信のためのＣＲＣがＣ−ＲＮＴＩを用いてスクランブリングされるか否かを決定し、Ｃ−ＲＮＴＩスクランブリングドされることで決定されたことに応答し、ＰＤＳＣＨ送信の送信スキームがｎｏｎ−ＭＢＳＦＮサブフレーム構成を用いるか否か及びＰＤＳＣＨ送信がアンテナポート０で送信されるか、若しくはＴｘＤスキームが用いられるか否かを決定し、ｎｏｎ−ＭＢＳＦＮサブフレーム構成及びアンテナポート０又はＴｘＤスキームが用いられると決定したことに応答し、ＰＤＳＣＨ受信のためにＱＣＬ動作１を用いることを決定する。【選択図】図７
2019071636.tif 000002
【特許請求の範囲】
【請求項１】
移動通信システム内の端末におけるＰＤＳＣＨ（ｐｈｙｓｉｃａｌ  ｄｏｗｎｌｉｎｋ  ｓｈａｒｅｄ  ｃｈａｎｎｅｌ）受信方法において、
ＱＣＬ  ＣＳＩ−ＲＳ（ｑｕａｓｉ  ｃｏ−ｌｏｃａｔｅｄ  ｃｈａｎｎｅｌ  ｓｔａｔｅ  ｉｎｆｏｒｍａｔｉｏｎ  ｒｅｆｅｒｅｎｃｅ  ｓｉｇｎａｌ）設定情報を含むＲＲＣ（ｒａｄｉｏ  ｒｅｓｏｕｒｃｅ  ｃｏｎｔｒｏｌ）メッセージを受信する段階と、
ダウンリンク制御情報（以下、ＤＣＩ、ｄｏｗｎｌｉｎｋ  ｃｏｎｔｒｏｌ  ｉｎｆｏｒｍａｔｉｏｎ）フォーマット１ＡによってスケジューリングされたＰＤＳＣＨを受信する段階と、
前記端末に送信モード１０（以下、ＴＭ１０、ｔｒａｎｓｍｉｓｓｉｏｎ  ｍｏｄｅ  １０）及びＱＣＬ  ｔｙｐｅ  Ｂが設定され、前記ＤＣＩフォーマット１Ａに対応する物理的ダウンリンク制御チャンネル（以下、ＰＤＣＣＨ、ｐｈｙｓｉｃａｌ  ｄｏｗｎｌｉｎｋ  ｃｏｎｔｒｏｌ  ｃｈａｎｎｅｌ）のＣＲＣ（ｃｙｃｌｉｃａｌ  ｒｅｄｕｎｄａｎｃｙ  ｃｈｅｃｋ）がＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）によってスクランブリングされ、前記ＰＤＳＣＨの送信スキーム（ｓｃｈｅｍｅ）がＭＢＳＦＮ（ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム（ｓｕｂｆｒａｍｅ）を用いると、前記ＰＤＳＣＨのためのＤＭＲＳ（ｄｅｍｏｄｕｌａｔｉｏｎ  ｒｅｆｅｒｅｎｃｅ  ｓｉｇｎａｌ）のアンテナポートと前記ＱＣＬ  ＣＳＩ−ＲＳ設定情報によって指示されるＣＳＩ−ＲＳリソースがＱＣＬと仮定されることを特徴とする、ＰＤＳＣＨの受信方法。
【請求項２】
前記端末に前記送信モード１０及び前記ＱＣＬ  ｔｙｐｅ  Ｂが設定され、前記ＤＣＩフォーマット１Ａに対応する前記ＰＤＣＣＨのＣＲＣがＳＰＳ（ｓｅｍｉ  ｐｅｒｓｉｓｔｅｎｔ  ｓｃｈｅｄｕｌｉｎｇ）  Ｃ−ＲＮＴＩによってスクランブリングされると、前記ＰＤＳＣＨのための前記ＤＭＲＳのアンテナポートと前記ＱＣＬ  ＣＳＩ−ＲＳ設定情報によって指示されるＣＳＩ−ＲＳリソースがＱＣＬと仮定されることを特徴とする、請求項１に記載のＰＤＳＣＨ受信方法。
【請求項３】
前記端末がＴＭ１０と設定され、前記ＰＤＳＣＨ送信の送信スキーム（ｓｃｈｅｍｅ）がｎｏｎ−ＭＢＳＦＮ（ｎｏｎ  ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム（ｓｕｂｆｒａｍｅ）を用い、前記ＤＣＩフォーマット１Ａに対応する物理的ダウンリンク制御チャンネル（以下、ＰＤＣＣＨ、ｐｈｙｓｉｃａｌ  ｄｏｗｎｌｉｎｋ  ｃｏｎｔｒｏｌ  ｃｈａｎｎｅｌ）のＣＲＣ（ｃｙｃｌｉｃａｌ  ｒｅｄｕｎｄａｎｃｙ  ｃｈｅｃｋ）がＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）によりスクランブリングされると、前記ＰＤＳＣＨを前記ＤＭＲＳとＣＲＳ（ｃｅｌｌ  ｓｐｅｃｉｆｉｃ  ｒｅｆｅｒｅｎｃｅ  ｓｉｇｎａｌ）を用いて復調する段階を含むことを特徴とする、請求項１に記載のＰＤＳＣＨ受信方法。
【請求項４】
前記ＰＤＳＣＨに係るＣＳＩ−ＲＳは、ドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）のうちの少なくとも一つに対してＱＣＬ（ｑｕａｓｉ  ｃｏ−ｌｏｃａｔｅｄ）であることを特徴とする、請求項１に記載のＰＤＳＣＨ受信方法。
【請求項５】
前記少なくとも一つのドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）に対して前記ＣＳＩ−ＲＳを測定する段階と、
前記少なくとも一つのドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）に係る測定情報を用いて前記ＰＤＳＣＨを復調する段階と、を含むことを特徴とする、請求項４に記載のＰＤＳＣＨ受信方法。
【請求項６】
移動通信システムで物理的ダウンリンク共有チャンネル（以下、ＰＤＳＣＨ、ｐｈｙｓｉｃａｌ  ｄｏｗｎｌｉｎｋ  ｓｈａｒｅｄ  ｃｈａｎｎｅｌ）を受信する端末の装置において、
ＱＣＬ  ＣＳＩ−ＲＳ（ｑｕａｓｉ  ｃｏ−ｌｏｃａｔｅｄ  ｃｈａｎｎｅｌ  ｓｔａｔｅ  ｉｎｆｏｒｍａｔｉｏｎ  ｒｅｆｅｒｅｎｃｅ  ｓｉｇｎａｌ）設定情報を含むＲＲＣ（ｒａｄｉｏ  ｒｅｓｏｕｒｃｅ  ｃｏｎｔｒｏｌ）メッセージ及びダウンリンク制御情報（以下、ＤＣＩ、ｄｏｗｎｌｉｎｋ  ｃｏｎｔｒｏｌ  ｉｎｆｏｒｍａｔｉｏｎ）フォーマット１ＡによってスケジューリングされるＰＤＳＣＨを受信する受信部と、
前記ＰＤＳＣＨを復調するコントローラーと、を含み、
前記端末に送信モード１０（以下、ＴＭ１０、ｔｒａｎｓｍｉｓｓｉｏｎ  ｍｏｄｅ  １０）及びＱＣＬ  ｔｙｐｅ  Ｂが設定され、前記ＤＣＩフォーマット１Ａに対応する物理的ダウンリンク制御チャンネル（以下、ＰＤＣＣＨ、ｐｈｙｓｉｃａｌ  ｄｏｗｎｌｉｎｋ  ｃｏｎｔｒｏｌ  ｃｈａｎｎｅｌ）のＣＲＣ（ｃｙｃｌｉｃａｌ  ｒｅｄｕｎｄａｎｃｙ  ｃｈｅｃｋ）がＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）によってスクランブリングされ、前記ＰＤＳＣＨの送信スキーム（ｓｃｈｅｍｅ）がＭＢＳＦＮ（ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム（ｓｕｂｆｒａｍｅ）を用いると、前記ＰＤＳＣＨのためのＤＭＲＳ（ｄｅｍｏｄｕｌａｔｉｏｎ  ｒｅｆｅｒｅｎｃｅ  ｓｉｇｎａｌ）のアンテナポートと前記ＱＣＬ  ＣＳＩ−ＲＳ設定情報によって指示されるＣＳＩ−ＲＳリソースがＱＣＬと仮定されることを特徴とする、装置。
【請求項７】
前記端末に前記送信モード１０及び前記ＱＣＬ  ｔｙｐｅ  Ｂが設定され、前記ＤＣＩフォーマット１Ａに対応する前記ＰＤＣＣＨのＣＲＣがＳＰＳ（ｓｅｍｉ  ｐｅｒｓｉｓｔｅｎｔ  ｓｃｈｅｄｕｌｉｎｇ）  Ｃ−ＲＮＴＩによってスクランブリングされると、前記ＰＤＳＣＨのための前記ＤＭＲＳのアンテナポートと前記ＱＣＬ  ＣＳＩ−ＲＳ設定情報によって指示されるＣＳＩ−ＲＳリソースがＱＣＬと仮定されることを特徴とする、請求項６に記載の装置。
【請求項８】
前記コントローラーは、
前記端末がＴＭ１０と設定され、前記ＰＤＳＣＨ送信の送信スキーム（ｓｃｈｅｍｅ）がｎｏｎ−ＭＢＳＦＮ（ｎｏｎ  ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム（ｓｕｂｆｒａｍｅ）を用い、前記ＤＣＩフォーマット１Ａに対応する物理的ダウンリンク制御チャンネル（以下、ＰＤＣＣＨ、ｐｈｙｓｉｃａｌ  ｄｏｗｎｌｉｎｋ  ｃｏｎｔｒｏｌ  ｃｈａｎｎｅｌ）のＣＲＣ（ｃｙｃｌｉｃａｌ  ｒｅｄｕｎｄａｎｃｙ  ｃｈｅｃｋ）がＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）によってスクランブリングされると、前記ＰＤＳＣＨを前記ＤＭＲＳとＣＲＳ（ｃｅｌｌ  ｓｐｅｃｉｆｉｃ  ｒｅｆｅｒｅｎｃｅ  ｓｉｇｎａｌ）を用いて復調するように制御することを特徴とする、請求項６に記載の装置。
【請求項９】
前記ＰＤＳＣＨに係るＣＳＩ−ＲＳは、ドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）のうちの少なくとも一つに対してＱＣＬ（ｑｕａｓｉ  ｃｏ−ｌｏｃａｔｅｄ）であることを特徴とする、請求項６に記載の装置。
【請求項１０】
前記コントローラーは、
前記少なくとも一つのドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）に対して前記ＣＳＩ−ＲＳを測定し、前記少なくとも一つのドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）に係る測定情報を用いて前記ＰＤＳＣＨを復調するように制御することを特徴とする、請求項９に記載の装置。
【請求項１１】
移動通信システムでの基地局のチャンネル送信方法において、
ＱＣＬ  ＣＳＩ−ＲＳ（ｑｕａｓｉ  ｃｏ−ｌｏｃａｔｅｄ  ｃｈａｎｎｅｌ  ｓｔａｔｅ  ｉｎｆｏｒｍａｔｉｏｎ  ｒｅｆｅｒｅｎｃｅ  ｓｉｇｎａｌ）設定情報を含むＲＲＣ（ｒａｄｉｏ  ｒｅｓｏｕｒｃｅ  ｃｏｎｔｒｏｌ）メッセージを端末に送信する段階と、
ダウンリンク制御情報（以下、ＤＣＩ、ｄｏｗｎｌｉｎｋ  ｃｏｎｔｒｏｌ  ｉｎｆｏｒｍａｔｉｏｎ）フォーマット１ＡによってスケジューリングされたＰＤＳＣＨ（ｐｈｙｓｉｃａｌ  ｄｏｗｎｌｉｎｋ  ｓｈａｒｅｄ  ｃｈａｎｎｅｌ）を前記端末に送信する段階と、を含み、
前記端末に送信モード１０（以下、ＴＭ１０、ｔｒａｎｓｍｉｓｓｉｏｎ  ｍｏｄｅ  １０）及びＱＣＬ  ｔｙｐｅ  Ｂが設定され、前記ＤＣＩフォーマット１Ａに対応する物理的ダウンリンク制御チャンネル（以下、ＰＤＣＣＨ、ｐｈｙｓｉｃａｌ  ｄｏｗｎｌｉｎｋ  ｃｏｎｔｒｏｌ  ｃｈａｎｎｅｌ）のＣＲＣ（ｃｙｃｌｉｃａｌ  ｒｅｄｕｎｄａｎｃｙ  ｃｈｅｃｋ）がＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）によってスクランブリングされ、前記ＰＤＳＣＨの送信スキーム（ｓｃｈｅｍｅ）がＭＢＳＦＮ（ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム（ｓｕｂｆｒａｍｅ）を用いると、前記ＰＤＳＣＨのためのＤＭＲＳのアンテナポートと前記ＱＣＬ  ＣＳＩ−ＲＳ設定情報によって指示されるＣＳＩ−ＲＳリソースがＱＣＬと仮定されることを特徴とする、基地局のチャンネル送信方法。
【請求項１２】
前記端末に前記送信モード１０及び前記ＱＣＬ  ｔｙｐｅ  Ｂが設定され、前記ＤＣＩフォーマット１Ａに対応する前記ＰＤＣＣＨのＣＲＣがＳＰＳ（ｓｅｍｉ  ｐｅｒｓｉｓｔｅｎｔ  ｓｃｈｅｄｕｌｉｎｇ）  Ｃ−ＲＮＴＩによってスクランブリングされると、前記ＰＤＳＣＨのための前記ＤＭＲＳのアンテナポートと前記ＱＣＬ  ＣＳＩ−ＲＳ設定情報によって指示されるＣＳＩ−ＲＳリソースがＱＣＬと仮定されることを特徴とする、請求項１１に記載の基地局のチャンネル送信方法。
【請求項１３】
前記ＣＳＩ−ＲＳと前記ＤＭＲＳがＱＣＬであれば、
前記ＣＳＩ−ＲＳと前記ＤＭＲＳを受信した端末で、前記ＣＳＩ−ＲＳからの測定情報及び前記ＤＭＲＳを前記ＰＤＳＣＨを復調するのに用いられることができ、
前記測定情報はドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）のうちの少なくとも一つを含むことを特徴とする、請求項１１に記載の基地局のチャンネル送信方法。
【請求項１４】
移動通信システムでチャンネルを送信する基地局において、
ＱＣＬ  ＣＳＩ−ＲＳ（ｑｕａｓｉ  ｃｏ−ｌｏｃａｔｅｄ  ｃｈａｎｎｅｌ  ｓｔａｔｅ  ｉｎｆｏｒｍａｔｉｏｎ  ｒｅｆｅｒｅｎｃｅ  ｓｉｇｎａｌ）設定情報を含むＲＲＣ（ｒａｄｉｏ  ｒｅｓｏｕｒｃｅ  ｃｏｎｔｒｏｌ）メッセージを端末に送信し、ダウンリンク制御情報（以下、ＤＣＩ、ｄｏｗｎｌｉｎｋ  ｃｏｎｔｒｏｌ  ｉｎｆｏｒｍａｔｉｏｎ）フォーマット１ＡによってスケジューリングされたＰＤＳＣＨ（ｐｈｙｓｉｃａｌ  ｄｏｗｎｌｉｎｋ  ｓｈａｒｅｄ  ｃｈａｎｎｅｌ）を前記端末に送信する送信部と、
前記ＰＤＳＣＨと共に送信される復調基準信号（以下、ＤＭＲＳ、ｄｅｍｏｄｕｌａｔｉｏｎ  ｒｅｆｅｒｅｎｃｅ  ｓｉｇｎａｌ）と前記ＱＣＬ  ＣＳＩ−ＲＳによって指示されるＣＳＩ−ＲＳに対してＱＣＬ設定を制御するコントローラーと、を含み、
前記端末に送信モード１０（以下、ＴＭ１０、ｔｒａｎｓｍｉｓｓｉｏｎ  ｍｏｄｅ  １０）及びＱＣＬ  ｔｙｐｅ  Ｂが設定され、前記ＤＣＩフォーマット１Ａに対応する物理的ダウンリンク制御チャンネル（以下、ＰＤＣＣＨ、ｐｈｙｓｉｃａｌ  ｄｏｗｎｌｉｎｋ  ｃｏｎｔｒｏｌ  ｃｈａｎｎｅｌ）のＣＲＣ（ｃｙｃｌｉｃａｌ  ｒｅｄｕｎｄａｎｃｙ  ｃｈｅｃｋ）がＣ−ＲＮＴＩ（ｃｅｌｌ  ｒａｄｉｏ  ｎｅｔｗｏｒｋ  ｔｅｍｐｏｒａｒｙ  ｉｄｅｎｔｉｆｉｅｒ）によってスクランブリングされ、前記ＰＤＳＣＨの送信スキーム（ｓｃｈｅｍｅ）がＭＢＳＦＮ（ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ）サブフレーム（ｓｕｂｆｒａｍｅ）を用いると、前記ＰＤＳＣＨのための前記ＤＭＲＳのアンテナポートと前記ＱＣＬ  ＣＳＩ−ＲＳ設定情報によって指示されるＣＳＩ−ＲＳリソースがＱＣＬと仮定されることを特徴とする、基地局。
【請求項１５】
前記端末に前記送信モード１０及び前記ＱＣＬ  ｔｙｐｅ  Ｂが設定され、前記ＤＣＩフォーマット１Ａに対応する前記ＰＤＣＣＨのＣＲＣがＳＰＳ（ｓｅｍｉ  ｐｅｒｓｉｓｔｅｎｔ  ｓｃｈｅｄｕｌｉｎｇ）  Ｃ−ＲＮＴＩによってスクランブリングされると、前記ＰＤＳＣＨのための前記ＤＭＲＳのアンテナポートと前記ＱＣＬ  ＣＳＩ−ＲＳ設定情報によって指示されるＣＳＩ−ＲＳリソースがＱＣＬと仮定されることを特徴とする、請求項１４に記載の基地局。
【請求項１６】
前記ＣＳＩ−ＲＳと前記ＤＭＲＳがＱＣＬであれば、
前記ＣＳＩ−ＲＳと前記ＤＭＲＳを受信した端末で前記ＣＳＩ−ＲＳからの測定情報及び前記ＤＭＲＳが前記ＰＤＳＣＨを復調するのに用いられることができ、用いられる
前記測定情報はドップラーシフト（Ｄｏｐｐｌｅｒ  ｓｈｉｆｔ）、ドップラースプレッド（Ｄｏｐｐｌｅｒ  ｓｐｒｅａｄ）、平均遅延（ａｖｅｒａｇｅ  ｄｅｌａｙ）及び遅延広がり（ｄｅｌａｙ  ｓｐｒｅａｄ）のうちの少なくとも一つを含むことを特徴とする、請求項１４に記載の基地局。
【発明の詳細な説明】
【技術分野】
【０００１】
本発明は、一般的に多重点通信システム（ｍｕｌｔｉ−ｐｏｉｎｔ  ｃｏｍｍｕｎｉｃａｔｉｏｎ  ｓｙｓｔｅｍ）に関し、より詳しくはアンテナポート（ａｎｔｅｎｎａ  ｐｏｒｔ）の準共同−位置（ｑｕａｓｉ  ｃｏ−ｌｏｃａｔｉｏｎ、以下、ＱＣＬとする）に関する。
【背景技術】
【０００２】
基地局協力通信（ＣｏＭＰ、ｃｏｏｒｄｉｎａｔｅｄ  ｍｕｌｔｉ−ｐｏｉｎｔ）技術は、端末（ＵＥ）が多くの使用シナリオで多数の送信点（ｔｒａｎｓｍｉｓｓｉｏｎ  ｐｏｉｎｔ）（ＴＰ）から信号を受信することができるようにするために標準化されたものである。この多くのシナリオは、１）サイト内のＣｏＭＰを備える同種ネットワーク、２）高い送信（Ｔｘ）電力遠隔無線ヘッド（ｒｅｍｏｔｅ  ｒａｄｉｏ  ｈｅａｄ）（ＲＲＨ）を備える同種ネットワーク、３）ＲＲＨにより生成された送信／受信点がマクロセル（ｍａｃｒｏ  ｃｅｌｌ）と相違するセル識別子（ＩＤ）を備える、マクロセルカバレージ内に低電力ＲＲＨを備える異種ネットワーク、及び、４）ＲＲＨにより生成された送信／受信点がマクロセルと同じセルＩＤを備える、マクロセルカバレージ内に低電力ＲＲＨを備える異種ネットワークを含む。標準化のための焦点と識別されたＣｏＭＰ  通信スキーム（ｃｏｍｍｕｎｉｃａｔｉｏｎ  ｓｃｈｅｍｅ）は、結合送信（ｊｏｉｎｔ  ｔｒａｎｓｍｉｓｓｉｏｎ）（ＪＴ）、動的点ブランキング（ｄｙｎａｍｉｃ  ｐｏｉｎｔ  ｂｌａｎｋｉｎｇ）を含む動的点選択（ｄｙｎａｍｉｃ  ｐｏｉｎｔ  ｓｅｌｅｃｔｉｏｎ）（ＤＰＳ）、及び動的点ブランキングを含む調整されたスケジューリング／ビームフォーミング（ｃｏｏｒｄｉｎａｔｅｄ  ｓｃｈｅｄｕｌｉｎｇ／ｂｅａｍｆｏｒｍｉｎｇ）である。ＣｏＭＰ使用シナリオの追加的な説明は、本明細書に参照文献で明示的に併合された３ＧＰＰ  ＴＳ  ３６．８１９に含まれる。
【先行技術文献】
【非特許文献】
【０００３】
【非特許文献１】ZTE，Downlink control signaling for CoMP[online]，3GPP TSG RAN WG1 Meeting #70bis R1-124194，２０１２年  ９月２９日，pp.1-6，[検索日:2017.11.28]，インターネット＜URL:http://www.3gpp.org/ftp/tsg_ran/WG1_RL1/TSGR1_70b/Docs/R1-124194.zip＞
【非特許文献２】3rd Generation Partnership Project; Technical Specification Group Radio Access Network; Evolved Universal Terrestrial Radio Access (E-UTRA); Physical layer procedures (Release 11)，3GPP TS 36.213 V11.0.0，２０１２年  ９月，p.27,p.28,p.31
【非特許文献３】Huawei, HiSilicon，Remaining issues for antenna ports quasi-collocation[online]，3GPP TSG RAN WG1 Meeting #70bis R1-124071，２０１２年  ９月２９日，pp.1-5，[検索日:2017.11.28]，インターネット＜URL:http://www.3gpp.org/ftp/tsg_ran/WG1_RL1/TSGR1_70b/Docs/R1-124071.zip＞
【発明の概要】
【発明が解決しようとする課題】
【０００４】
本発明の実施形態は、ＬＴＥアドバンスト無線通信システムにおいて送信モード１０（ＴＭ１０）の物理的ダウンリンク共有チャンネル（ｐｈｙｓｉｃａｌ  ｄｏｗｎｌｉｎｋ  ｓｈａｒｅｄ  ｃｈａｎｎｅｌ）（ＰＤＳＣＨ）のための送信スキーム及びＱＣＬ仮定（ａｓｓｕｍｐｔｉｏｎ）を提供する。
【課題を解決するための手段】
【０００５】
一実施形態で、端末（ＵＥ）に対してＱＣＬ動作を決定する方法が提供される。本方法は、ＬＴＥ無線通信システムにおいてサービングセルに対して送信モード１０（ＴＭ１０）から構成される時、ダウンリンク制御情報（ＤＣＩ、ｄｏｗｎｌｉｎｋ  ｃｏｎｔｒｏｌ  ｉｎｆｏｒｍａｔｉｏｎ）フォーマット１Ａによってスケジューリングされた物理的ダウンリンク共有チャンネル（ＰＤＳＣＨ）送信のための巡回冗長検査（ＣＲＣ、ｃｙｃｌｉｃａｌ  ｒｅｄｕｎｄａｎｃｙ  ｃｈｅｃｋ）がセル無線ネットワークの一時的識別子（Ｃ−ＲＮＴＩ、ｃｅｌｌ  ｒａｄｉｏ  ｎｅｔｗｏｒｋ  ｔｅｍｐｏｒａｒｙ  ｉｄｅｎｔｉｆｉｅｒ）を用いてスクランブリングされるか否かを決定する段階を含む。さらに、本方法はセル無線ネットワークの一時的識別子（Ｃ−ＲＮＴＩ）がスクランブリングされたことで決定したことに応答し、物理的ダウンリンク共有チャンネル（ＰＤＳＣＨ）送信の送信スキーム（ｓｃｈｅｍｅ）が非−マルチキャストブロードキャスト単一周波数ネットワーク（ｎｏｎ−ＭＢＳＦＮ）サブフレーム構成を用いるか否か、及び物理的ダウンリンク共有チャンネル（ＰＤＳＣＨ）送信がアンテナポート０から送信されるか、若しくは送信ダイバーシティスキーム（ｓｃｈｅｍｅ）が用いられるか否かを決定する段階を含む。本方法は、ｎｏｎ−ＭＢＳＦＮサブフレーム構成及びアンテナポート０、若しくは送信ダイバーシティスキーム（ｓｃｈｅｍｅ）が用いられたことで決定したことに応答し、ＱＣＬ動作１を用いることを決定する段階をさらに含む。追加的に、本方法はＭＢＳＦＮサブフレーム構成及びアンテナポート７が用いたことで決定したことに応答し、ＱＣＬ動作２を用いることを決定する段階を含む。
【０００６】
他の実施形態で、端末（ＵＥ）に対してＱＣＬ動作を決定することができる装置が端末（ＵＥ）に提供される。本装置は物理的ダウンリンク共有チャンネル（ＰＤＳＣＨ）送信を受信するように構成された受信機及びコントローラーを含む。このコントローラーは、ＬＴＥ無線通信システムにおいてサービングセルに対して送信モード１０（ＴＭ１０）から構成される時、ダウンリンク制御情報（ＤＣＩ）フォーマット１Ａによってスケジューリングされた物理的ダウンリンク共有チャンネル（ＰＤＳＣＨ）送信のための巡回冗長検査（ＣＲＣ）がセル無線ネットワークの一時的識別子（Ｃ−ＲＮＴＩ）を用いてスクランブリングされるか否かを決定するように構成される。このコントローラーは、セル無線ネットワークの一時的識別子（Ｃ−ＲＮＴＩ）がスクランブリングされたことで決定したことに応答し、物理的ダウンリンク共有チャンネル（ＰＤＳＣＨ）送信の送信スキーム（ｓｃｈｅｍｅ）がｎｏｎ−ＭＢＳＦＮサブフレーム構成を用いるか否か、及び物理的ダウンリンク共有チャンネル（ＰＤＳＣＨ）送信がアンテナポート０から送信されるか、若しくは送信ダイバーシティスキーム（ｓｃｈｅｍｅ）が用いられるか否かを決定するようにさらに構成される。このコントローラーは、ｎｏｎ−ＭＢＳＦＮサブフレーム構成及びアンテナポート０又は送信ダイバシティスキーム（ｓｃｈｅｍｅ）が用いられたことで決定したことに応答し、物理的ダウンリンク共有チャンネル（ＰＤＳＣＨ）受信に対してＱＣＬ動作１を用いることを決定するようにさらに構成される。追加的に、このコントローラーは、ＭＢＳＦＮサブフレーム構成及びアンテナポート７が用いられたことで決定したことに応答し、ＰＤＳＣＨ受信に対してＱＣＬ動作２を用いることを決定するように構成される。
【０００７】
また、他の実施形態で、ＱＣＬ動作を端末（ＵＥ）に指示することができる装置が送信点に提供される。本装置は物理的ダウンリンク共有チャンネル（ＰＤＳＣＨ）送信を送信するように構成された送信機を含む。端末（ＵＥ）が送信モード１０（ＴＭ１０）から構成され、ダウンリンク制御情報（ＤＣＩ）フォーマット１Ａによってスケジューリングされた物理的ダウンリンク共有チャンネル（ＰＤＳＣＨ）送信のための巡回冗長検査（ＣＲＣ）がセル無線ネットワークの一時的識別子（Ｃ−ＲＮＴＩ）を用いてスクランブリングされ、物理的ダウンリンク共有チャンネル（ＰＤＳＣＨ）送信の送信スキーム（ｓｃｈｅｍｅ）がｎｏｎ−ＭＢＳＦＮサブフレーム構成を用い、物理的ダウンリンク共有チャンネル（ＰＤＳＣＨ）送信がアンテナポート０から送信されたり送信ダイバーシティスキーム（ｓｃｈｅｍｅ）が用いられる時、この送信点は端末（ＵＥ）が物理的ダウンリンク共有チャンネル（ＰＤＳＣＨ）受信に対してＱＣＬ動作１を用いることを指示するように構成される。端末（ＵＥ）が送信モード１０（ＴＭ１０）から構成され、ダウンリンク制御情報（ＤＣＩ）フォーマット１Ａによってスケジューリングされた物理的ダウンリンク共有チャンネル（ＰＤＳＣＨ）送信の送信スキーム（ｓｃｈｅｍｅ）がＭＢＳＦＮサブフレーム構成を用い、物理的ダウンリンク共有チャンネル（ＰＤＳＣＨ）送信がアンテナポート７から送信される時、この送信点は端末（ＵＥ）が物理的ダウンリンク共有チャンネル（ＰＤＳＣＨ）受信に対してＱＣＬ動作２を用いるように指示するように構成される。
【図面の簡単な説明】
【０００８】
【図１】図１は、本発明の原理によってメッセージを送信する例示的な無線システムである。
【図２】図２は、送信経路回路のハイレベルダイヤグラムである。
【図３】図３は、受信経路回路のハイレベルダイヤグラムである。
【図４】図４は、無線通信システムにおける送信機及び受信機のブロック図である。
【図５】図５は、本発明の多くの実施形態による多重点通信システムのブロック図である。
【図６】図６は、向上した物理的ダウンリンク制御チャンネル（Ｅ−ＰＤＣＣＨ）物理的リソースブロックを示す図である。
【図７】図７は、本発明の多くの実施形態によって端末（ＵＥ）に対するＱＣＬ動作を決定するプロセスのフロー図である。
【発明を実施するための形態】
【０００９】
以下、詳しく説明する前に、本特許明細書の全体にかけて用いられた特定単語及び語句の定義を提示することが有利することができる。すなわち“備える”及び“含む”という単語及びこれら単語の派生語（ｄｅｒｉｖａｔｉｖｅｓ）は制限せず含むことを意味し、“又は”という用語は及び／又はを含む意味であり、“〜と連関された”及び“〜これと連関された”という語句及びこれらの派生語は備えたり、〜内に備えられたり、〜と相互連結したり、〜を含んだり、〜内に含まれたり、〜に又は〜と連結されたり、〜に又は〜と結合したり、〜と通信したり、〜と協力したり、インターリービング（ｉｎｔｅｒｌｅａｖｅ）したり、並置（ｊｕｘｔａｐｏｓｅ）したり、〜に近接したり、〜に又は〜と束縛（ｂｏｕｎｄ）されたり、持ったり、〜の特性などを有することを意味することができ、及び“コントローラー”という用語は少なくとも一つの動作を制御する任意のデバイス、システム又はその一部を意味し、このようなデバイスはハードウェア、ファームウエア又はソフトウェアで具現されたり、又はこれらのうちの少なくとも２個の一部組合で具現されることができる。任意の特定コントローラーと連関された機能は、局所的に又は遠隔的に中央集中化されているとか分散されていることに理解される。特定単語及び語句の定義は本特許明細書の全体にかけて提供され、この技術分野に通常の知識を有する者であれば、大部分の場合ではなくても多くの場合に、このような定義された単語及び語句の以前使用及び今後の使用にも適用されるということを理解することができるだろう。
【００１０】
後述した図１乃至図７、及び本特許明細書で本発明の原理を説明するのに用いられた多くの実施形態は、ただ例示のために提示されたものであるだけ、本発明の範囲を制限する方式に解釈されてはいけない。この技術分野に通常の知識を有する者であれば、本発明の原理は任意の適切に配列されたシステム又はデバイスで具現されることができるということを理解することができるだろう。
【００１１】
以下の文献及び標準に関する説明は本明細書に完全に開示されたように本明細書に参照文献で併合される。３ＧＰＰ  ＴＳ  ３６．２１３  Ｖ１１．０．０（２０１２−０９）、ＲＰ−１１１３６５“Ｃｏｏｒｄｉｎａｔｅｄ  Ｍｕｌｔｉ−Ｐｏｉｎｔ  Ｏｐｅｒａｔｉｏｎ  ｆｏｒ  ＬＴＥ  ＷＩＤ”、３ＧＰＰ  ＴＲ  ３６．８１９  Ｖ１１．０．０（２０１１−０９）、Ｒ１−１２４６６９  “ＲＲＣ  Ｐａｒａｍｅｔｅｒｓ  ｆｏｒ  Ｄｏｗｎｌｉｎｋ  ＣｏＭＰ、ＤＬ  ＣｏＭＰ  Ｒａｐｐｏｒｔｅｕｒ”（Ｓａｍｓｕｎｇ  Ｅｌｅｃｔｒｏｎｉｃｓ、Ｃｏ．）、Ｒ１−１２４０２０  “ＬＳ  Ｒｅｓｐｏｎｓｅ  ｏｎ  Ａｎｔｅｎｎａ  Ｐｏｒｔｓ  Ｃｏ−Ｌｏｃａｔｉｏｎ”、Ｒ１−１２４５７３  “Ｗａｙ  Ｆｏｒｗａｒｄ  ｏｎ  Ｆａｌｌｂａｃｋ  Ｏｐｅｒａｔｉｏｎ  ｆｏｒ  ＴＭ１０”（ＬＧ  Ｅｌｅｃｔｒｏｎｉｃｓ、Ａｌｃａｔｅｌ―Ｌｕｃｅｎｔ  Ｓｈａｎｇｈａｉ―Ｂｅｌｌ、ＭｅｄｉａＴｅｋ、Ｎｏｋｉａ、Ｎｏｋｉａ  Ｓｉｅｍｅｎｓ  Ｎｅｔｗｏｒｋｓ、Ｑｕａｌｃｏｍｍ、及びＲｅｓｅａｒｃｈ  Ｉｎ  Ｍｏｔｉｏｎ）、及びＲ１−１２４６４１“Ｗａｙ  Ｆｏｒｗａｒｄ  ｏｎ  ｒｅｍａｉｎｉｎｇ  ｉｓｓｕｅｓ  ｏｆ  ＤＣＩ  Ｆｏｒｍａｔ  ｉＡ  ｉｎ  ＴＭ１０”（Ｈｕａｗｅｉ、ＨｉＳｉｌｉｃｏｎ、Ｅｒｉｃｓｓｏｎ、及びＳＴ―Ｅｒｉｃｓｓｏｎ）。さらに、本出願は２０１３年４月１９日に出願された発明の名称が“Ｑｕａｓｉ  Ｃｏ―Ｌｏｃａｔｉｏｎ  Ｉｄｅｎｔｉｆｉｃａｔｉｏｎ  ｏｆ  Ｒｅｆｅｒｅｎｃｅ  Ｓｙｍｂｏｌ  Ｐｏｒｔｓ  ｆｏｒ  Ｃｏｏｒｄｉｎａｔｅｄ  Ｍｕｌｔｉ―Ｐｏｉｎｔ  Ｃｏｍｍｕｎｉｃａｔｉｏｎ  Ｓｙｓｔｅｍｓ”であるアメリカ特許出願番号１３／８６６，８０４を参照文献で併合する。
【００１２】
本発明の実施形態は、端末（ＵＥ）によってアンテナポートのＱＣＬ仮定を用いることがチャンネル推定（ｃｈａｎｎｅｌ  ｅｓｔｉｍａｔｉｏｎ）及び／又は時間／周波数同期化に用いられる信号オーバーヘッド及び時間を減少させることができるということを認識する。アンテナポートのＱＣＬは次の事項と定義される。他のポート（ポートＢ）で測定したことからポートＡの“大規模チャンネル特性（ｌａｒｇｅ  ｓｃａｌｅ  ｃｈａｎｎｅｌ  ｐｒｏｐｅｒｔｉｅｓ）”（例えば、ポートＡに基づいてチャンネル推定／時間−周波数同期化をすることに必要なこと）を誘導することが端末（ＵＥ）に許容される場合、ポート（ポートＡ）は他のポート（ポートＢ）と準共同−位置されたことで見なす。例えば、これら大規模チャンネル特性は、遅延広がり（ｄｅｌａｙ  ｓｐｒｅａｄ）、ドップラースプレッド、周波数移動、平均受信電力（同じ類型のポートの間でばかり要求されることができる）、及び受信タイミングのうちの一つ以上を含むことができる。
【００１３】
アンテナポートのＱＣＬのまた他の定義は次のようである。２個のアンテナポートが準共同−位置されていると、端末（ＵＥ）は一つのアンテナポートでシンボル（ｓｙｍｂｏｌ）が運搬（ｃｏｎｖｅｙｅｄ）されるチャンネルの大規模特性が他のアンテナポートでシンボルが運搬されるチャンネルから推論（ｉｎｆｅｒｒｅｄ）されることができることで仮定（ａｓｓｕｍｅ）できる。例えば、前記定義で大規模特性は遅延広がり、ドップラースプレッド、ドップラーシフト、平均利得、及び平均遅延のいずれか一つ以上を含むことができる。準共同−位置チャンネル特性の定義のために、前記定義で“チャンネル”という用語は、ｅＮＢから無線装備の損傷及び非−理想性（ｎｏｎ―ｉｄｅａｌｉｔｙ）を含む、本明細書に参照文献で明示的に併合された、３ＧＰＰ  ＴＳ  ３６．２１１に定義されたような、対応するアンテナポート後に発生するすべての効果及び変換を含み、アンテナポートは時間及び周波数で理想的に同期化されたことに仮定されることができ、及び公称値（ｎｏｍｉｎａｌ  ｖａｌｕｅ）に比べて送信信号のＴｘ遅延、Ｔｘ周波数移動、及びＴｘ電力差のネットワークでの意図された制御及びＲＦチェーン（ｃｈａｉｎ）での非−理想性がこのチャンネルモデルに含まれる。
【００１４】
本発明の実施形態は、大規模チャンネル特性を正しく推定することが適切なチャンネル推定及び時間／周波数同期化性能を保障することに重要であるということを認識する。例えば、ＭＭＳＥ（ｍｉｎｉｍｕｍ  ｍｅａｎ  ｓｑｕａｒｅｄ  ｅｒｒｏｒ）に基づくチャンネル推定器（ｃｈａｎｎｅｌ  ｅｓｔｉｍａｔｏｒ）は、経路遅延プロファイルである推定（正確な周波数相関推定のために）、ドップラー推定（正確な時間−相関推定のために）、雑音分散（ｎｏｉｓｅ  ｖａｒｉａｎｃｅ）などのような情報を要求することができる。
【００１５】
本発明の実施形態は、ＬＴＥ  Ｒｅｌｅａｓｅ  １０で、セル無線ネットワークの一時的識別子（Ｃ−ＲＮＴＩ）及び半永久的のリソース割り当て−無線ネットワークの一時的識別子（ＳＰＳ―ＲＮＴＩ、ｓｅｍｉ  ｐｅｒｓｉｓｔｅｎｔ  ｓｃｈｅｄｕｌｉｎｇ  −ｒａｄｉｏ  ｎｅｔｗｏｒｋ  ｔｅｍｐｏｒａｌｌｙ  ｉｄｅｎｔｉｆｉｅｒ）によりアドレスされる物理的ダウンリンク制御チャンネル（ｐｈｙｓｉｃａｌ  ｄｏｗｎｌｉｎｋ  ｃｏｎｔｒｏｌ  ｃｈａｎｎｅｌ）（ＰＤＣＣＨ）に対応する物理的ダウンリンク共有チャンネル（ＰＤＳＣＨ）の送信スキーム（ｓｃｈｅｍｅ）が表（ｔａｂｌｅ）７．１から３ＧＰＰ  ＴＳ  ３６．２１３  Ｖ１１．２．０に示されたことで認識する。
【００１６】
本発明の実施形態は、ＬＴＥ  Ｒｅｌｅａｓｅ  １１で基地局協力通信（ＣｏＭＰ）サポートのために、送信モード１０（ＴＭ１０）が導入することを認識する。送信モード１０（ＴＭ１０）と設定される時、端末（ＵＥ）によってモニタリングされるセル無線ネットワークの一時的識別子（Ｃ−ＲＮＴＩ）及び半永久的リソース割り当て無線ネットワークの一時的識別子（ＳＰＳ―ＲＮＴＩ）によってアドレスされる物理的ダウンリンク制御チャンネル（ＰＤＣＣＨ）はダウンリンク制御情報（ｄｏｗｎｌｉｎｋ  ｃｏｎｔｒｏｌ  ｉｎｆｏｒｍａｔｉｏｎ、ＤＣＩ）フォーマット１Ａ及びダウンリンク制御情報（ＤＣＩ）フォーマット２Ｄから構成される。“ＱＣＬ動作１”（例えば、ＰＤＳＣＨアンテナポートはサービングセル（ｓｅｒｖｉｎｇ  ｃｅｌｌ）のＣＲＳポートと準共同−位置される、ＱＣＬ類型Ａ動作）は送信モード１（ＴＭ１）乃至送信モード９（ＴＭ９）に対するＱＣＬ動作で採択されることができる。送信モード１０（ＴＭ１０）でダウンリンク制御情報（ＤＣＩ）フォーマット２Ｄによってスケジューリングされた物理的ダウンリンク共有チャンネル（ＰＤＳＣＨ）で、“ＱＣＬ動作２”（例えば、ＰＤＳＣＨアンテナポートは構成された非−ゼロ電力（ｎｏｎ―ｚｅｒｏ  ｐｏｗｅｒ）ＣＳＩ−ＲＳリソースと準共同−位置される、ＱＣＬ類型Ｂ動作）はＱＣＬ動作で採択されることができる。
【００１７】
本発明の実施形態は、ＱＣＬ類型Ａ動作がセル−特定基準信号（ｃｅｌｌ―ｓｐｅｃｉｆｉｃ  ｒｅｆｅｒｅｎｃｅ  ｓｉｇｎａｌ）（ＣＲＳ）、チャンネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ）（ＣＳＩ−ＲＳ）及び  ＰＤＳＣＨ復調基準信号（ｄｅｍｏｄｕｌａｔｉｏｎ  ｒｅｆｅｒｅｎｃｅ  ｓｉｇｎａｌ、ＤＭＲＳ）がその大規模チャンネル特性（例えば、ドップラーシフト、ドップラースプレッド、平均利得、平均遅延、及び遅延広がり）に対して準共同−位置されたことに仮定されることができる時に定義されることができることで認識する。ＱＣＬ類型Ｂ動作は、物理的階層信号（ｐｈｙｓｉｃａｌ  ｌａｙｅｒ  ｓｉｇｎａｌｉｎｇ）によって指示された特定チャンネル状態情報基準信号（ＣＳＩ−ＲＳ）リソース及び物理的ダウンリンク共有チャンネル復調基準信号（ＰＤＳＣＨ  ＤＭＲＳ）がその大規模チャンネル特性（例えば、遅延広がり、ドップラースプレッド、ドップラーシフト、平均利得、及び平均遅延）に対して準共同−位置されたことで仮定されることができることを除いては、セル特定基準信号（ＣＲＳ）、チャンネル状態情報基準信号（ＣＳＩ−ＲＳ）、及び物理的ダウンリンク共有チャンネル復調基準信号（ＰＤＳＣＨ  ＤＭＲＳ）がその大規模チャンネル特性（例えば、遅延広がり、ドップラースプレッド、ドップラーシフト、平均利得、及び平均遅延）に対して準共同−位置されたことで仮定されないこともある時に定義されることができる。
【００１８】
ダウンリンク制御情報（ＤＣＩ）フォーマット２Ｄに対して動作Ｂを実現するため、最大４個のセットの物理的ダウンリンク共有チャンネル（ＰＤＳＣＨ）リソース要素（ＲＥ）マッピング及び準−共同−位置パラメーターが無線リソース制御（ｒａｄｉｏ  ｒｅｓｏｕｒｃｅ  ｃｏｎｔｒｏｌ、ＲＲＣ）信号を用いて構成されてダウンリンク制御情報（ＤＣＩ）フォーマット２Ｄによって指示されることができる。送信モード１０（ＴＭ１０）でダウンリンク制御情報（ＤＣＩ）フォーマット２Ｄで信号されることができる各セットは以下の表１に羅列されたより高い階層のパラメーターリストに対応する。表１は、ダウンリンク制御情報（ＤＣＩ）フォーマット２Ｄで各コード点によって指示された物理的ダウンリンク共有チャンネルリソース要素（ＰＤＳＣＨ  ＲＥ）マッピング及びＱＣＬパラメーターのセットを例示する。
【００１９】
【表１】
2019071636.tif 000003
【００２０】
本発明の一実施形態は、ダウンリンク制御情報（ＤＣＩ）フォーマット１Ａによってスケジューリングされた物理的ダウンリンク共有チャンネル（ＰＤＳＣＨ）に対するレートマッチング仮定で、一つのゼロ電力（ｚｅｒｏ  ｐｏｗｅｒ）（ＺＰ）チャンネル状態情報基準信号（ＣＳＩ−ＲＳ）構成が送信モード１０（ＴＭ１０）でフォールバックダウンリンク制御情報（ＤＣＩ）フォーマット  １Ａとスケジューリングされる時、端末（ＵＥ）がＰＤＳＣＨレートマッチング及びリソース要素（ＲＥ）マッピングのために仮定するＺＰ−ＣＳＩ−ＲＳ構成でより高い階層信号によって識別されることができるということをさらに認識する。ただ、一つのＺＰ  ＣＳＩ−ＲＳ構成が端末（ＵＥ）に対して構成されると、端末（ＵＥ）は送信モード１０（ＴＭ１０）でフォールバックダウンリンク制御情報（ＤＣＩ）フォーマット１Ａにスケジューリングされる時の物理的ダウンリンク共有チャンネル（ＰＤＳＣＨ）レートマッチング及びリソース要素（ＲＥ）マッピングを仮定する。
【００２１】
本発明の一実施形態は、また、Ｒｅｌｅａｓｅ  １１で、高めた（ｅｎｈａｎｃｅｄ）ＰＤＣＣＨ（Ｅ−ＰＤＣＣＨ）がセル内のダウンリンク（ＤＬ）制御容量を増加させてダウンリンク（ＤＬ）制御のためにセル間の干渉を緩和するために導入されたことを認識する。向上した物理的ダウンリンク制御チャンネル（Ｅ−ＰＤＣＣＨ）物理的リソースブロック（ｐｈｙｓｉｃａｌ  ｒｅｓｏｕｒｃｅ  ｂｌｏｃｋ）（ＰＲＢ）（６００）が図６に示したように物理的ダウンリンク共有チャンネル（ＰＤＳＣＨ）区域（ｒｅｇｉｏｎ）に配置され、向上した物理的ダウンリンク制御チャンネル物理的リソースブロック（Ｅ−ＰＤＣＣＨ  ＰＲＢ）はこのダウンリンク（ＤＬ）制御信号を、向上した物理的ダウンリンク制御チャンネル（Ｅ−ＰＤＣＣＨ）を受信するように構成されたＲｅｌｅａｓｅ  １１端末（ＵＥ）に運ぶ。
【００２２】
Ｅ−ＰＤＣＣＨで端末（ＵＥ）−特定検索空間（ｓｐｅｃｉｆｉｃ  ｓｅａｒｃｈ  ｓｐａｃｅ）で、各端末（ＵＥ）はＫ（例えば、１≦Ｋ≦２）個の向上した物理的ダウンリンク制御チャンネル（Ｅ−ＰＤＣＣＨ）セット（例えば、３ＧＰＰ  ＴＳ  ３６．２１３  セクション９．１．４で説明されたこと）から構成されることができる。Ｅ−ＰＤＣＣＨセットは、Ｎ個のＰＲＢ対のグループと定義される。各Ｅ−ＰＤＣＣＨセットに対する無線リソース制御（ＲＲＣ）構成は次の情報から構成される。１）Ｅ−ＰＤＣＣＨセットに対してＮ個のＰＲＢ対が用いられることを示すためにＮ個のＰＲＢ対のグループ（ここでＮ＝｛２、４、８｝であり、システム帯域幅が８個のＰＲＢ未満の場合、Ｎ＝８はサポートされない、Ｋ個のセットは同じＮ値を全て備えるものではなく、相違するＥ−ＰＤＣＣＨセットでＰＲＢ対は完全にオーバーラップされたり、部分的にオーバーラップされたり、又はオーバーラップされないこともある）、２）３ＧＰＰ  ＴＳ  ３６．２１３  セクション９．１．４で説明されたようなＥ−ＰＤＣＣＨセットの類型（例えば、分散した又は局所化されたこと）、（ＫＬ及びＫＤは次の組合、すなわち｛ＫＬ＝１、ＫＤ＝０｝、｛ＫＬ＝０、ＫＤ＝１｝、｛ＫＬ＝１、ＫＤ＝１｝、｛ＫＬ＝０、ＫＤ＝２｝、｛ＫＬ＝２、ＫＤ＝０｝を含むことができ、ここでＫＬは局所化されたＥ−ＰＤＣＣＨセットの数であり、ＫＤは分散したＥ−ＰＤＣＣＨセットの数である）、３）ＤＭＲＳスクランブリングシーケンス初期化パラメーター
【００２３】
【数１】
2019071636.tif 000004
【００２４】
（例えば、３ＧＰＰ  ＴＳ  ３６．２１１  セクション６．１０．３Ａ．１に説明されたこと）（これは信号オーバーヘッドを節減するために第１セットに対する同一の値で第２セットに対して勧告されたデフォルト値及び定数値範囲（例えば、０．５０３）を備える）、及び４）Ｅ−ＰＤＣＣＨセットに対するＰＵＣＣＨリソース開始オフセット（例えば、３ＧＰＰ  ＴＳ  ３６．２１３  セクション１０．１に説明されたこと）（これは定数（例えば、０．２０４７）である値範囲を備える）。
【００２５】
端末（ＵＥ）がＥ−ＰＤＣＣＨで端末（ＵＥ）−特定検索空間をモニタリングするサブフレームで、端末（ＵＥ）がＥ−ＰＤＣＣＨ（例えば、３ＧＰＰ  ＴＳ  ３６．２１３セクション９．１．４に説明されたこと）からＵＥ−特定検索空間をモニタリングしたりモニタリングせずサブフレームを指示するためにより高い階層信号による構成が提供されることができる。Ｅ−ＰＤＣＣＨをモニタリングするように構成されなかったサブフレームで、端末（ＵＥ）はＲｅｌｅａｓｅ  １０動作によって物理的ダウンリンク制御チャンネル（ＰＤＣＣＨ）に対して共通検索空間（ｃｏｍｍｏｎ  ｓｅａｒｃｈ  ｓｐａｃｅ）（ＣＳＳ）及び端末（ＵＥ）−特定検索空間（ＵＳＳ又は  ＵＥＳＳ）をモニタリングする。この信号を導入する動機は、物理的マルチキャストチャンネル（ｐｈｙｓｉｃａｌ  ｍｕｌｔｉｃａｓｔ  ｃｈａｎｎｅｌ、ＰＭＣＨ）サブフレーム処理、向上したセル間の干渉調整（ｅｎｈａｎｃｅｄ  ｉｎｔｅｒ−ｃｅｌｌ  ｉｎｔｅｒｆｅｒｅｎｃｅ  ｃｏｏｒｄｉｎａｔｉｏｎ）（ｅＩＣＩＣ）、及びダウンリンク制御チャンネルの信頼性を改善させるために可能な他の場合を含む。より高い階層信号は向上したセル間の干渉調整（ｅＩＣＩＣ）に用いられたことと同じ周期性（ｐｅｒｉｏｄｉｃｉｔｙ）及びサイズを有する新しいビットマップ（ｂｉｔｍａｐ）から構成される。この新しいビットマップが提供されなかったら、Ｅ−ＰＤＣＣＨが構成された場合、通常的な（ｎｏｒｍａｌ）ＣＰで特殊サブフレーム構成０又は５、拡張された（ｅｘｔｅｎｄｅｄ）ＣＰで特殊サブフレーム構成０、４、又は７を備える特殊サブフレームを除いては端末（ＵＥ）はすべてのサブフレーム内のＥ−ＰＤＣＣＨで端末特定検索空間（ＵＳＳ）をモニタリングし、若しくは、もし端末（ＵＥ）がサブフレームが物理的マルチキャストチャンネル（ＰＭＣＨ）を含むことが分かっていたら、端末（ＵＥ）は物理的ダウンリンク制御チャンネル（ＰＤＣＣＨ）で端末特定検索空間（ＵＳＳ）をモニトリングすることがデフォルトである。
【００２６】
向上した物理的ダウンリンク制御チャンネル（Ｅ−ＰＤＣＣＨ）開始シンボル構成で、端末（ＵＥ）が送信モード１０（ＴＭ１０）と設定されなかったら、このセルで任意の向上した物理的ダウンリンク制御チャンネル（Ｅ−ＰＤＣＣＨ）に対し、及び向上した物理的ダウンリンク制御チャンネル（Ｅ−ＰＤＣＣＨ）によってスケジューリングされたセルで物理的ダウンリンク共有チャンネル（ＰＤＳＣＨ）に対してＯＦＤＭ開始シンボルを指示するためにより高い階層の信号が送信されることができる。値範囲は｛１、２、３、４｝であり、ここで値１、２、及び３はセルの帯域幅が１０個を超過するリソースブロックである時に適用可能で、値２、３、４はセルの帯域幅が１０個以下のリソースブロックである時に適用可能である。この信号が提供されなかったら、向上した物理的ダウンリンク制御チャンネル（Ｅ−ＰＤＣＣＨ）の及び向上した物理的ダウンリンク制御チャンネル（Ｅ−ＰＤＣＣＨ）によってスケジューリングされた物理的ダウンリンク共有チャンネル（ＰＤＳＣＨ）の開始ＯＦＤＭシンボルはＰＣＦＩＣＨから誘導される。ＯＦＤＭ開始シンボルの単一値は（もし、２個のセットが構成されたら）２つのＥ−ＰＤＣＣＨセットに適用可能である。
【００２７】
Ｅ−ＰＤＣＣＨ  ＤＭＲＳに対して準−共同位置構成で、端末（ＵＥ）が送信モード１０（ＴＭ１０）から構成されると、より高い階層信号、ＱＣＬ−ＣＳＩ−ＲＳ−ＩｎｄｅｘはＥ−ＰＤＣＣＨ  ＤＭＲＳに対してＱＣＬ仮定を指示するために送信されることができる。ＱＣＬ−ＣＳＩ−ＲＳ−ＩｎｄｅｘはＥ−ＰＤＣＣＨセットごとに構成される（例えば、動作Ｂ１は次のように定義される。Ｅ−ＰＤＣＣＨ  ＤＭＲＳポートは次の事項、すなわち、各分散したＥ−ＰＤＣＣＨセット又は各局所化されたＥ−ＰＤＣＣＨセット内のすべてのＥ−ＰＤＣＣＨ  ＤＭＲＳポートは構成可能なＮＺＰ  ＣＳＩ−ＲＳリソースとその大規模チャンネル特性（例えば、遅延広がり、ドップラースプレッド、ドップラーシフト、平均利得及び平均遅延）に対して準共同−位置されたことで仮定されることができるという事項を除いては、任意のＲＳポートと準共同−位置されたことで仮定されない。信号が提供される時、Ｅ−ＰＤＣＣＨ  ＤＭＲＳポートは、Ｅ−ＰＤＣＣＨセット内のすべてのＥ−ＰＤＣＣＨ  ＤＭＲＳポートがＱＣＬ−ＣＳＩ−ＲＳ−Ｉｎｄｅｘによって指示された非−ゼロ電力（ＮＺＰ）ＣＳＩ−ＲＳリソースとその大規模チャンネル特性（例えば、遅延広がり、ドップラースプレッド、ドップラーシフト、平均利得及び平均遅延）に対して準共同−位置されたことで仮定されることができるということを除いては、任意のＲＳポートと準共同−位置されたことで仮定されない。ＱＣＬ仮定に用いられたすべてのＮＺＰ−ＣＳＩ−ＲＳリソースはＣｏＭＰ測定セットから構成されたＮＺＰ−ＣＳＩ−ＲＳリソースである。この信号が提供されなかったら、すべてのＥ−ＰＤＣＣＨ  ＤＭＲＳポートは、サービングセルのためのＣＲＳとその大規模チャンネル特性（例えば、遅延広がり、ドップラースプレッド、ドップラーシフト、平均利得及び平均遅延）に対して準共同−位置されたことで仮定されることができる（例えば、動作Ａ）。Ｅ−ＰＤＣＣＨはさらにＴＭ１乃至ＴＭ９に対して構成されることもでき、ＴＭ１乃至ＴＭ９に対するＥ−ＰＤＣＣＨ  ＤＭＲＳＱＣＬ動作は動作Ａである。
【００２８】
したがって、本発明の実施形態は送信モード１０（ＴＭ１０）のダウンリンク制御情報（ＤＣＩ）フォーマット１ＡによってスケジューリングされたＰＤＳＣＨに対する送信スキーム（ｓｃｈｅｍｅ）及びＱＣＬ仮定の詳細を提供する。
【００２９】
ダウンリンク制御情報（ＤＣＩ）フォーマット２Ｄで、４個のセットの物理的ダウンリンク共有チャンネル（ＰＤＳＣＨ）リソース要素（ＲＥ）マッピング及び準−共同−位置パラメーター（ＰＱ  パラメーター）は端末（ＵＥ）特定ＲＲＣ信号によって構成され、ダウンリンク制御情報（ＤＣＩ）フォーマット２Ｄは端末（ＵＥ）がＰＤＣＣＨ／Ｅ−ＰＤＣＣＨを用いて物理的ダウンリンク共有チャンネル（ＰＤＳＣＨ）を受信する時、仮定することを決定するパラメーターのうちの一つを示す。表２は物理的ダウンリンク共有チャンネルリソース要素（ＰＤＳＣＨ  ＲＥ）マッピング及び準共同−位置パラメーターに対して４個のこのような状態を並べる。
【００３０】
【表２】
2019071636.tif 000005
【００３１】
追加的に、フォーマット２Ｄでのダウンリンク制御情報（ＤＣＩ）信号に対し、新しいビットがダウンリンク制御情報（ＤＣＩ）フォーマット２Ｃのコンテンツに追加されて送信モード１０（ＴＭ１０）に対するダウンリンク制御情報（ＤＣＩ）フォーマットを形成することができる。この新しいビットは、ｎＳＣＩＤと共に、より高い階層から構成された４個のパラメーターセットのうちで物理的ダウンリンク共有チャンネルリソース要素（ＰＤＳＣＨ  ＲＥ）マッピング及び準−共同−位置パラメーターセットを動的に選択する。２個の新しいビットがさらにダウンリンク制御情報（ＤＣＩ）フォーマット２Ｃのコンテンツに追加されて送信モード１０（ＴＭ１０）に対するダウンリンク制御情報（ＤＣＩ）フォーマットを形成することができる。
【００３２】
したがって、本発明の実施形態は、送信モード１０（ＴＭ１０）のダウンリンク制御情報（ＤＣＩ）フォーマット２Ｄによってスケジューリングされた物理的ダウンリンク制御チャンネル（ＰＤＳＣＨ）に対して物理的ダウンリンク制御チャンネルリソース要素（ＰＤＳＣＨ  ＲＥ）マッピングＱＣＬ仮定の詳細を提供する。
【００３３】
以下の図１乃至図３は、ＯＦＤＭ又はＯＦＤＭＡ通信技術を用いて無線通信システムにおいて具現された多くの実施形態を説明する。図１乃至図３の説明は、物理的又はアーキテクチャ構成を多くの実施形態が具現されることができる方式で制限することを意味することではない。本発明の多くの実施形態は任意の適切に配列された通信システムで具現されることができる。
【００３４】
図１は、本発明の原理によってメッセージを送信する例示的な無線システム１００を示す。図示された実施形態で、無線システム１００は送信点（例えば、進歩された（Ｅｖｏｌｖｅｄ）  ノードＢ（ｅＮＢ）、ノードＢ）、例えばベースステーション（ｂａｓｅ  ｓｔａｔｉｏｎ）（ＢＳ）（１０１）、ベースステーション（ＢＳ）１０２、ベースステーション（ＢＳ）１０３、及び他の類似のベースステーション又はリレーステーション（ｒｅｌａｙ  ｓｔａｔｉｏｎ）（図示せず）を含む。ベースステーション１０１は、ベースステーション１０２及びベースステーション１０３と通信する。ベースステーション１０１はさらにネットワーク１３０又は類似のＩＰ−基盤システム（図示せず）と通信する。
【００３５】
ベースステーション１０２は（ベースステーション１０１を通じる）無線ブロードバンドアクセスをネットワーク１３０を介してベースステーション１０２のカバレージ領域１２０内の第  １の複数の端末（ＵＥ）（例えば、モバイルフォン、モバイルステーション、加入者ステーション）に提供する。第１の複数の端末（ＵＥ）は、小企業（ｓｍａｌｌ  ｂｕｓｉｎｅｓｓ）（ＳＢ）に位置されることができる端末（ＵＥ、１１１）、企業（ｅｎｔｅｒｐｒｉｓｅ）（Ｅ）に位置されることができる端末（ＵＥ、１１２）、ＷｉＦｉホットスポット（ＨＳ）に位置されることができる端末（ＵＥ、１１３）、第１居住地（ｒｅｓｉｄｅｎｃｅ）（Ｒ）に位置されることができる端末（ＵＥ、１１４）、第２居住地（Ｒ）に位置されることができる端末（ＵＥ、１１５）、及びモバイルデバイス（Ｍ）、例えばセルフォン、無線ラップトップ、無線ＰＤＡなどであることができる端末（ＵＥ、１１６）を含む。
【００３６】
ベースステーション１０３は（ベースステーション１０１を通じる）無線ブロードバンドアクセスをネットワーク１３０を介してベースステーション１０３のカバレージ領域１２５内の第２の複数の端末（ＵＥ）に提供する。第２の複数の端末（ＵＥ）は、ＵＥ１１５及びＵＥ１１６を含む。一例示的な実施形態で、ベースステーション１０１−１０３はＯＦＤＭ又はＯＦＤＭＡ技術を用いて互いに端末（ＵＥ、１１１−１１６）と通信することができる。
【００３７】
ただ、６個の端末（ＵＥ）だけが図１に示されているが、無線システム１００は無線ブロードバンドアクセスを追加的な端末（ＵＥ）に提供することができることは自明であろう。端末（ＵＥ、１１５）及び端末（ＵＥ、１１６）はカバレージ領域１２０及びカバレージ領域１２５のすべてのエッジに位置されているということが注目される。端末（ＵＥ、１１５）及び端末（ＵＥ、１１６）はそれぞれベースステーション１０２及びベースステーション１０３の全部と通信してこの技術分野に通常の知識を有する者に知られているようにハンドオフモードで動作することであると言及されることができる。
【００３８】
端末（ＵＥ、１１１−１１６）は、ネットワーク１３０を介して音声、データ、ビデオ、ビデオ画像会議、及び／又は他のブロードバンドサービスにアクセスすることができる。一例示的な実施形態で、一つ以上の端末（ＵＥ、１１１−１１６）はＷｉＦｉ  ＷＬＡＮのアクセスポイント（ａｃｃｅｓｓ  ｐｏｉｎｔ）（ＡＰ）と連関されることができる。端末（ＵＥ、１１６）は無線−可能ラップトップコンピューター、パーソナルデータアシスタント（ＰＤＡ）、ノートフック、ハンドヘルドデバイス、若しくは他の無線−可能デバイスを含む多数のモバイルデバイスのうちのいずれである。ＵＥ（１１４及び１１５）は、例えば、無線−可能パーソナルコンピューター（ＰＣ）、ラップトップコンピューター、ゲートウェー、又は他のデバイスであることができる。
【００３９】
図２は、送信経路回路２００のハイレベルダイヤグラムである。例えば、送信経路回路２００は直交周波数分割多元アクセス（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）（ＯＦＤＭＡ）通信に用いられることができる。図３は、受信経路回路３００のハイレベルダイヤグラムである。例えば、受信経路回路３００は直交周波数分割多元アクセス（ＯＦＤＭＡ）通信に用いられることができる。図２及び図３で、ダウンリンク通信のために、送信経路回路２００はベースステーションＢＳ１０２又はリレーステーションで具現されることができ、受信経路回路３００は端末（ＵＥ、例えば、図１の端末（ＵＥ、１１６））で具現されることができる。他の実施形態で、アップリンク通信のために、受信経路回路３００はベースステーション（例えば、図１のベースステーション１０２）又はリレーステーションで具現されることができ、送信経路回路２００は端末（ＵＥ、例えば、図１のＵＥ（１１６））で具現されることができる。
【００４０】
送信経路回路２００は、チャンネルコーディング及び変調ブロック２０５、直列−並列（ｓｅｒｉａｌ−ｔｏ−ｐａｒａｌｌｅｌ）（Ｓ−ｔｏ−Ｐ）ブロック２１０、サイズＮ逆の高速フーリエ変換（Ｉｎｖｅｒｓｅ  Ｆａｓｔ  Ｆｏｕｒｉｅｒ  Ｔｒａｎｓｆｏｒｍ）（ＩＦＦＴ）ブロック２１５、並列−直列（ｐａｒａｌｌｅｌ−ｔｏ−ｓｅｒｉａｌ）（Ｐ−ｔｏ−Ｓ）ブロック２２０、サイクリックプレフィックス追加（ａｄｄ  ｃｙｃｌｉｃ  ｐｒｅｆｉｘ）ブロック２２５、及びアップ−コンバータ（ｕｐ−ｃｏｎｖｅｒｔｅｒ）（ＵＣ）２３０を含む。受信経路回路３００はダウン変換器（ｄｏｗｎ−ｃｏｎｖｅｒｔｅｒ）（ＤＣ）２５５、サイクリックプレフィックス除去（ｒｅｍｏｖｅ  ｃｙｃｌｉｃ  ｐｒｅｆｉｘ）ブロック２６０、直列−並列（Ｓ−ｔｏ−Ｐ）ブロック２６５、サイズＮ高速フーリエ変換（ＦＦＴ）ブロック２７０、並列−直列（Ｐ−ｔｏ−Ｓ）ブロック２７５、及びチャンネルデコーディング及び復調ブロック２８０を含む。
【００４１】
図２及び図３にある成分（ｃｏｍｐｏｎｅｎｔ）のうちの少なくとも一部はソフトウェアで具現されることができる一方、他の成分は構成可能なハードウェア又はソフトウェア及び構成可能なハードウェアの混合で具現されることができる。特に、本明細書に説明されたＦＦＴブロック及びＩＦＦＴブロックは、構成可能なソフトウェアアルゴリズムで具現されることができ、ここでサイズＮの値は具現によって変更されることができるということが注目される。
【００４２】
さらに、本発明は高速フーリエ変換及び逆高速フーリエ変換を具現する実施形態に関するが、これはただ例示のためのものであるので本発明の範囲を制限するように解釈されるべきではない。本発明の代案的な実施形態で、高速フーリエ変換関数及び逆高速のフーリエ変換関数は離散フーリエ変換（Ｄｉｓｃｒｅｔｅ  Ｆｏｕｒｉｅｒ  Ｔｒａｎｓｆｏｒｍ）（ＤＦＴ）関数及び逆離散フーリエ変換（ＩＤＦＴ）関数でそれぞれ容易に取り替えられることができることに理解される。ＤＦＴ及びＩＤＦＴ関数で、Ｎ変数（ｖａｒｉａｂｌｅ）の値は任意の定数（すなわち、１、２、３、４等）である一方、ＦＦＴ及びＩＦＦＴ関数で、Ｎ変数の値は２個の定数（すなわち、１、２、４、８、１６等）である任意の定数であることができることに理解される。
【００４３】
送信経路回路２００で、チャンネルコーディング及び変調ブロック２０５は情報ビットセットを受信し、コーディング（例えば、ＬＤＰＣコーディング）を適用して入力ビットを変調（例えば、ＱＰＳＫ（Ｑｕａｄｒａｔｕｒｅ  Ｐｈａｓｅ  Ｓｈｉｆｔ  Ｋｅｙｉｎｇ）又はＱＡＭ（Ｑｕａｄｒａｔｕｒｅ  Ａｍｐｌｉｔｕｄｅ  Ｍｏｄｕｌａｔｉｏｎ））して周波数−領域変調シンボルシーケンスを生成する。直列−並列ブロック２１０は、直列変調されたシンボルを並列データで変換（すなわち、デマルチプレクシング）してＮ個の並列シンボルストリームを生成しながらここでＮはＢＳ１０２及びＵＥ１１６に用いられるＩＦＦＴ／ＦＦＴサイズである。サイズ  Ｎ  ＩＦＦＴブロック２１５はＮ並列シンボルストリームにＩＦＦＴ動作を行って時間−領域出力信号を生成する。並列−直列ブロック２２０はサイズＮ  ＩＦＦＴ  ブロック２１５から並列時間−領域出力シンボルを変換（すなわち、マルチプレクシング）して直列時間−領域信号を生成する。サイクリックプレフィックス追加ブロック２２５は以後サイクリックプレフィックスを時間−領域信号に挿入する。最後に、アップ−コンバータ２３０はサイクリックプレフィックス追加ブロック２２５の出力を無線チャンネルを介して送信するためにＲＦ周波数で変調（すなわち、アップ変換）する。この信号はまたＲＦ周波数で変換する前に基底帯域でフィルターリングされることがある。
【００４４】
送信されたＲＦ信号は無線チャンネルを通過した後、端末（ＵＥ、１１６）に到逹し、ベースステーション（ＢＳ、１０２）での動作と役動作が行われる。ダウン変換器２５５は受信された信号を基底帯域周波数でダウン変換と、サイクリックプレフィックス除去ブロック２６０はサイクリックプレフィックスを除去して直列時間−領域基底帯域信号を生成する。直列−並列ブロック２６５は時間−領域基底帯域信号を並列時間−領域信号に変換する。サイズＮ  ＦＦＴブロック２７０は以後ＦＦＴアルゴリズムを行ってＮ個の並列周波数−領域信号を生成する。並列−直列ブロック２７５は並列周波数−領域信号を変調されたデータシンボルのシーケンスに変換する。チャンネルデコーディング及び復調ブロック２８０は、変調されたシンボルを復調した後、これをデコーディングして元々の入力データストリームを復旧する。
【００４５】
各ベースステーション１０１−１０３は端末（ＵＥ、１１１−１１６）へのダウンリンクで送信することと類似の送信経路を具現することができ、端末（ＵＥ、１１１−１１６）からのアップリングクで受信することと類似の受信経路を具現することができる。類似に、各端末（ＵＥ、１１１−１１６）はベースステーション１０１−１０３へのアップリングクで送信するためのアーキテクチャに対応する送信経路を具現することができ、ベースステーション（１０１−１０３）からのダウンリンクで受信するためのアーキテクチャに対応する受信経路を具現することができる。
【００４６】
図４は本発明の多くの実施形態を具現することに用いられることができる無線通信システムにおける送信機４０５及び受信機４１０のブロック図を示す。この例示的な実施形態で、送信機４０５及び受信機４１０は、例えば、図１にある無線システム１００のような無線通信システムにおいて通信点にあるデバイスである。一部実施形態で送信機４０５又は受信機４１０は、ネットワーク個体、例えば、ベースステーション、例えば、進歩された（ｅｖｏｌｖｅｄ）ノードＢ（ｅＮＢ）、遠隔−無線ヘッド、リレーステーション、アンダーレイ（ｕｎｄｅｒｌａｙ）ベースステーション、ゲートウェー（ＧＷ）、又はベースステーションコントローラー（ｂａｓｅ  ｓｔａｔｉｏｎ  ｃｏｎｔｒｏｌｌｅｒ）（ＢＳＣ）であることがある。他の実施形態で送信機４０５又は受信機４１０は、ＵＥ（例えば、モバイルステーション、加入者ステーションなど）であることがある。一実施形態で送信機４０５又は受信機４１０は、図１でＵＥ１１６の一実施形態の一実施例である。他の実施形態で送信機４０５又は受信機４１０は図１でベースステーション１０２の一実施形態の一実施例である。
【００４７】
送信機４０５は、アンテナ４１５、位相移動機４２０、Ｔｘプロセッシング回路４２５、及びコントローラー４３０を含む。送信機４０５はアウトゴーイング（ｏｕｔｇｏｉｎｇ）基底帯域データからアナログ又はデジタル信号を受信する。送信機４０５はアウトゴーイング基底帯域データをエンコードし、マルチプレクシングし、及び／又はディジタイジング（ｄｉｇｉｔｉｚｅ）してプロセッシングされたＲＦ信号を生成し、この信号は送信機４０５を介して送信及び／又は送信される。例えば、Ｔｘプロセッシング回路４２５は図２で送信経路回路２００と類似の送信経路を具現することができる。送信機４０５はまたアンテナ４１５にある多くのアンテナで階層マッピングを介して空間マルチプレクシングを行って多数の相違するビーム（ｂｅａｍ）信号を送信することができる。コントローラー４３０は送信機４０５の全体動作を制御する。一つのこのような動作で、コントローラー４３０はよく知られた原理によって送信機４０５による信号の送信を制御する。
【００４８】
受信機４１０は、一つ以上の送信点、例えば、ベースステーション、リレーステーション、遠隔無線ヘッド、ＵＥなどによって送信された入るＲＦ信号又は信号（ら）をアンテナ４３５から受信する。受信機４１０は受信された信号（ら）をプロセッシングして送信点により送信された情報を識別するＲｘプロセッシング回路４４５を含む。例えば、Ｒｘプロセッシング回路４４５は、受信された信号（ら）をチャンネル推定、復調、ストリーム分離、フィルターリング、デコーディング、及び／又はディジタイジングすることによって受信されるＲＦ信号（ら）をダウン変換して中間周波数（ｉｎｔｅｒｍｅｄｉａｔｅ  ｆｒｅｑｕｅｎｃｙ）（ＩＦ）又は基底帯域信号を生成することができる。例えば、Ｒｘプロセッシング回路４４５は、図３で受信経路回路３００と類似の受信経路を具現することができる。コントローラー４５０は受信機４１０の全体動作を制御する。一つのこのような動作で、コントローラー４５０はよく知られた原理により受信機４１０による信号の受信を制御する。
【００４９】
多くの実施形態で、送信機４０５はＴＰ内に位置され、受信機はＣｏＭＰ通信システムで端末（ＵＥ）内に位置される。例えば、ＣｏＭＰ通信で、多数のＴＰは端末（ＵＥ）へ送信する送信機４０５と類似の送信機を含むことができる。多数のＴＰはベースステーション（例えば、ｅＮＢ、マクロベースステーションなど）、ＲＲＨ、及び／又はアンダーレイベースステーション（例えば、マイクロベースステーション、リレーステーションなど）の任意の組合であることができる。
【００５０】
図４に示された送信機４０５及び受信機４１０の例示は、本発明の実施例を具現することができる一つの実施形態を例示するためのものである。送信機４０５及び受信機４１０の他の実施形態も本発明の範囲を逸脱せず用いられることができる。例えば、送信機４０５は受信機、例えば受信機４１０をさらに含む通信ノード（例えば、ＢＳ、ＵＥ、ＲＳ、及びＲＲＨ）に位置されることができる。類似に、受信機４１０は送信機、例えば送信機４０５をさらに含む通信ノード（例えば、ＢＳ、ＵＥ、ＲＳ、及びＲＲＨ）に位置されることができる。この通信ノードでＴｘ及びＲｘアンテナアレイ（ａｒｒａｙ）にあるアンテナは一つ以上のアンテナスイチングメカニズムを介して送信及び受信に用いられる同じアンテナアレイ（ａｒｒａｙ）であるかオーバーラップ（ｏｖｅｒｌａｐ）されることができる。
【００５１】
図５は、本発明の多くの実施形態による多重点通信システム５００のブロック図を示す。この例示的な実施形態で、ＣｏＭＰ通信システム５００は端末（ＵＥ、５０５）及び２個のＴＰ（５１０及び５１５）を含む。例えば、端末（ＵＥ、５０５）は図４に示したような受信機及び送信機を含むことができる。ＴＰ（５１０及び５１５）はまた図４に示したような受信機及び送信機を含むことができる。ＴＰ（５１０及び５１５）はベースステーション（例えば、ｅＮＢ、マクロベースステーションなど）、ＲＲＨ、及び／又はオンドレイベースステーション（例えば、マイクロベースステーション、リレーステーションなど）の任意の組合であることができる。追加的に、他のＴＰ及び端末（ＵＥ）はＣｏＭＰ通信システム５００に存在することができる。例えば、２個を超過するＴＰらが同じ端末（ＵＥ、５０５）と通信することができる。
【００５２】
ＴＰ（５１０及び５１５）は、ネットワーク５２０と接続される。例えば、ＴＰ（５１０及び５１５）は有線ライン及び／又は光繊維ネットワークにより接続されることができる。ネットワーク５２０はＴＰ（５１０及び５１５）及び端末（ＵＥ、５０５）の間に無線通信のためのデータ及び制御情報を提供してＴＰ（５１０及び５１５）の間に接続を提供する。ネットワーク５２０は多重点通信システム５００で無線通信のためのスケジューリングを行う。例えば、ネットワーク５２０は、一つ以上のゲートウェー、又はベースステーションコントローラーを含むことができる。一実施形態で、ネットワーク５２０は、図１でネットワーク１３０の一実施形態であることがある。
【００５３】
本発明の実施形態は送信モード１０（ＴＭ１０）のことに対して送信モード９（ＴＭ９）のダウンリンク制御情報（ＤＣＩ）フォーマット１Ａの動作を再使用することが有利することができるということを認識する。ダウンリンク制御情報（ＤＣＩ）１Ａの物理的ダウンリンク共有チャンネル（ＰＤＳＣＨ）は、サービングセルのセル特定基準信号（ＣＲＳ）と準共同−位置されたことで仮定されるから、物理的ダウンリンク共有チャンネル（ＰＤＳＣＨ）はセル特定基準信号（ＣＲＳ）を送信するすべてのＴＰから送信されることができる。一つの含意（ｉｍｐｌｉｃａｔｉｏｎ）はＣｏＭＰシナリオ４で、各端末（ＵＥ）に対するダウンリンク制御情報（ＤＣＩ）１Ａの物理的ダウンリンク共有チャンネル（ＰＤＳＣＨ）らが直交リソース（ｏｒｔｈｏｇｏｎａｌ  ｒｅｓｏｕｒｃｅ）に送信されなければならないということである。換言すると、ダウンリンク制御情報（ＤＣＩ）フォーマット１ＡでＣｏＭＰシナリオ４に対して領域分割利得（ａｒｅａ  ｓｐｌｉｔｔｉｎｇ  ｇａｉｎ）を獲得することは困ることができるが、ダウンリンク制御情報（ＤＣＩ）フォーマット２Ｄでは相変らず可能である。これは物理的ダウンリンク制御チャンネル（ＰＤＳＣＨ）の潜在的な容量を制限する。その結果、本発明の実施形態は、送信モード９（ＴＭ９）からダウンリンク制御情報（ＤＣＩ）フォーマット１Ａの送信スキーム（ｓｃｈｅｍｅ）及び送信モード１０（ＴＭ１０）に対してＱＣＬ仮定を再使用することはＣｏＭＰシナリオ４でダウンリンク制御情報（ＤＣＩ）フォーマット１ＡによってスケジューリングされたＰＤＳＣＨに対して領域分割利得の損失をもたらすことができることを認識する。
【００５４】
一方、本発明の実施形態は、ダウンリンク制御情報（ＤＣＩ）１Ａの物理的ダウンリンク共有チャンネル（ＰＤＳＣＨ）が局所ＴＰのチャンネル状態情報基準信号（ＣＳＩ−ＲＳ）リソースと準共同−位置されたことだけが許容されることによって動作制御情報（ＤＣＩ）１Ａ  ＰＤＳＣＨに対してＣｏＭＰシナリオ４の場合に領域分割利得を提供することができるということを認識する。また、送信ダイバシティ（ＴｘＤ）又はポート０送信スキーム（ｓｃｈｅｍｅ）を用いることは物理的ダウンリンク制御チャンネル（ＰＤＣＣＨ）の共通検索空間（ＣＳＳ）でばかりサポートされることができる。端末（ＵＥ）が送信モード１（ＴＭ１）乃至送信モード９（ＴＭ９）のいずれか一つから送信モード１０（ＴＭ１０）に、若しくはその逆にＲＲＣにより再設定される時、ネットワークは物理的ダウンリンク制御チャンネル（ＰＤＣＣＨ）の共通検索空間（ＣＳＳ）でダウンリンク制御情報（ＤＣＩ）フォーマット１Ａを用いて端末（ＵＥ）とだけ通信することができるのに、その理由はダウンリンク制御情報（ＤＣＩ）フォーマット１Ａが物理的ダウンリンク制御チャンネル（ＰＤＣＣＨ）の端末特定検索空間（ＵＳＳ）から送信される場合、端末（ＵＥ）が仮定することができる送信スキーム（ｓｃｈｅｍｅ）及びＱＣＬ動作がどれであるか、ネットワークが確かに分かることができないことがあるからである。端末（ＵＥ）が送信モード１０（ＴＭ１０）と再設定されており、以前の構成が送信モード１（ＴＭ１）乃至送信モード８（ＴＭ８）のいずれか一つの場合、ネットワークはまたＭＢＳＦＮサブフレームの共通検索空間（ＣＳＳ）でダウンリンク制御情報（ＤＣＩ）フォーマット１Ａを送信することができない。そのようにして、最悪の場合のシナリオで、これはフォールバック送信をスケジューリングするのに利用可能な物理的ダウンリンク制御チャンネル（ＰＤＣＣＨ）区域を通常的な（ｎｏｒｍａｌ）サブフレームの共通検索空間（ＣＳＳ）だけで制限する。これは共通検索空間（ＣＳＳ）のオーバーロードをもたらすことができるのに、これは特に端末（ＵＥ）が局所ＴＰに近くあって１又は２のより小さなアグリゲーションレベル（ａｇｇｒｅｇａｔｉｏｎ  ｌｅｖｅｌ）が十分のような場合にも４又は８の結合レベルが共通検索空間（ＣＳＳ）に用いられることができるからである。
【００５５】
その結果、本発明の実施形態は提案したようにフォールバック送信をスケジューリングするために物理的ダウンリンク制御チャンネル（ＰＤＣＣＨ）の共通検索空間（ＣＳＳ）のみを用いると、共通検索空間（ＣＳＳ）のオーバーロードをもたらすことができるということを認識する。最悪の場合に、通常的なサブフレームの共通検索空間（ＣＳＳ）だけがフォールバック送信をスケジューリングするのにネットワークに利用できる。そのようにして、本発明の実施形態はフォールバック送信のスケジューリング可能性を制限しないことが重要であるということを認識する。
【００５６】
したがって、多くの実施形態で、ダウンリンク制御情報（ＤＣＩ）１Ａの物理的ダウンリンク制御チャンネル（ＰＤＳＣＨ）に対して領域分割利得を獲得すると共にフォールバック送信スケジューリングを制限しない一つの方法は、以下の表３に示されたように、この表３はダウンリンク制御情報（ＤＣＩ）フォーマット１Ａでセル無線ネットワークの一時的識別子（Ｃ−ＲＮＴＩ）によってスクランブリングされた巡回冗長検査（ＣＲＣ）を有する物理的ダウンリンク制御チャンネル（ＰＤＣＣＨ）によりスケジューリングされた物理的ダウンリンク共有チャンネル（ＰＤＳＣＨ）に対することである。一般的に、ＭＢＳＦＮサブフレームはＣｏＭＰシナリオ４で送信モード１０（ＴＭ１０）に対してダウンリンク制御情報（ＤＣＩ）フォーマット１Ａに対して領域分割利得を達成することに用いられる一方、通常的なサブフレーム（例えば、ｎｏｎ−ＭＢＳＦＮサブフレーム）はＲｅｌｅａｓｅ  ８／９／１０のようにフォールバック送信のために相変わらず予備される。これら実施形態は維持されるダウンリンク制御情報（ＤＣＩ）フォーマット１Ａのフォールバックスケジューリングの融通性を提供してＣｏＭＰシナリオ４に対して領域分割利得ＤＣＩ  １Ａ  ＰＤＳＣＨを達成する。
【００５７】
【表３】
2019071636.tif 000006
【００５８】
表３で、場合１はＱＣＬ動作１に対応し、場合２はＱＣＬ動作２に対応する。一実施形態で、表３でより高い階層から構成されたＮＺＰ  ＣＳＩ−ＲＳリソースは、最低インデックス値を持つＮＺＰ  ＣＳＩ−ＲＳリソースであることで予め決定される。他の実施形態で、表３でより高い階層から構成されたＮＺＰ  ＣＳＩ−ＲＳリソースは表２で第１ＮＺＰ  ＣＳＩ−ＲＳリソースであることで予め決定される。この配列はＲＲＣ信号オーバーヘッドを節減する。
【００５９】
多くの実施形態は送信スキーム（ｓｃｈｅｍｅ）が構成された送信モードに従属するからダウンリンク制御情報（ＤＣＩ）フォーマット１Ａで半永久的リソース割り当て−無線ネットワークの一時的識別子（ＳＰＳ  Ｃ−ＲＮＴＩ）によってスクラムブリングされた巡回冗長検査（ＣＲＣ）を持つ物理的ダウンリンク制御チャンネル（ＰＤＣＣＨ）に対応する物理的ダウンリンク共有チャンネル（ＰＤＳＣＨ）に対して以前のリリース（Ｒｅｌｅａｓｅ）ではフォールバック送信サポートが存在しないことを認識する。したがって、本発明の多くの実施形態で、ＴＭ１０でＤＣＩフォーマット１Ａによってスケジューリングされた物理的ダウンリンク共有チャンネル（ＰＤＳＣＨ）に対する送信スキーム（ｓｃｈｅｍｅ）は送信モード９（ＴＭ９）のようにポート７送信スキーム（ｓｃｈｅｍｅ）で維持されるが、ポート７は以下の表４に示されたようにより高い階層から構成されたＮＺＰ  ＣＳＩ−ＲＳリソースと準共同−位置されたことに仮定される。このような方式で、領域分割利得は、さらにＣｏＭＰシナリオ４でＳＰＳ送信のために獲得されることができる。一例示的な実施形態で、表４でより高い階層から構成されたＮＺＰ  ＣＳＩ−ＲＳリソースは動作制御情報（ＤＣＩ）フォーマット１Ａ（例えば、前記の表３と同じように）でセル無線ネットワークの一時的識別子（Ｃ−ＲＮＴＩ）によってスクラムブリングされた巡回冗長検査（ＣＲＣ）を持つ物理的ダウンリンク制御チャンネル（ＰＤＣＣＨ）に適用可能なものと同じであることができる。他の実施形態で、ネットワークの融通性をより許容するため、表４で言及されたより高い階層から構成されたＮＺＰ  ＣＳＩ−ＲＳリソースは動作制御情報（ＤＣＩ）フォーマット  １ＡでＣ−ＲＮＴＩによってスクラムブリングされた巡回冗長検査（ＣＲＣ）を持つ物理的ダウンリンク制御チャンネル（ＰＤＣＣＨ）に適用可能なものと相違することができる。また他の実施形態で、表４でより高い階層から構成されたチャンネル状態情報基準信号（ＣＳＩ−ＲＳ）リソースは最低インデックス値を持つＮＺＰ  ＣＳＩ−ＲＳリソース、又は表２にある第１ＮＺＰ  チャンネル状態情報基準信号（ＣＳＩ−ＲＳ）リソースであることで予め決定される。この配列はさらに、ＲＲＣ信号オーバーヘッドを節減する。以下の表４は送信モード１０（ＴＭ１０）でダウンリンク制御情報（ＤＣＩ）フォーマット１Ａに対する送信スキーム（ｓｃｈｅｍｅ）及びＱＣＬ動作（すなわち、ＱＣＬ  動作２）を示し、ここで巡回冗長検査（ＣＲＣ）は半永久的リソース割り当て−無線ネットワーク一時的識別子（ＳＰＣ  Ｃ−ＲＮＴＩ）によってスクランブリングされる。
【００６０】
【表４】
2019071636.tif 000007
【００６１】
多くの実施形態はダウンリンク制御情報（ＤＣＩ）フォーマット１Ａ物理的ダウンリンク共有チャンネル（ＰＤＳＣＨ）に対する領域分割利得を獲得すると同時にフォールバック送信スケジューリングを制限せず、また他の方法を提供する。このような構成の一実施形態は表５に例示される。この例示的な実施形態で、動作Ｂ１が向上した物理的ダウンリンク制御チャンネル（Ｅ−ＰＤＣＣＨ）復調基準信号（ＤＭＲＳ）ＱＣＬに対して構成されて物理的ダウンリンク共有チャンネル（ＰＤＳＣＨ）が向上した物理的ダウンリンク制御チャンネル（Ｅ−ＰＤＣＣＨ）によってダウンリンク制御情報（ＤＣＩ）フォーマット１Ａとスケジューリングされた場合、対応する物理的ダウンリンク共有チャンネル（ＰＤＳＣＨ）送信スキーム（ｓｃｈｅｍｅ）はより高い階層から構成されたＮＺＰ  ＣＳＩ−ＲＳ  リソースとＱＣＬを持つポート７であると仮定される。表５は送信モード１０（ＴＭ１０）でダウンリンク制御情報（ＤＣＩ）フォーマット１Ａに対する送信スキーム（ｓｃｈｅｍｅ）及びＱＣＬ動作を図示し、ここで巡回冗長検査（ＣＲＣ）はセル無線ネットワークの一時的識別子（Ｃ−ＲＮＴＩ）によってスクランブリングされる。
【００６２】
【表５】
2019071636.tif 000008
【００６３】
一般的に、すべての場合により高い階層から構成されたチャンネル状態情報基準信号（ＣＳＩ−ＲＳ）リソースは同じである。（例えば、Ｅ−ＰＤＣＣＨ及びＰＤＣＣＨに対して）より高い階層から構成されたＮＺＰ  ＣＳＩ−ＲＳリソースを別個で構成することも可能である。
【００６４】
一実施形態で、表５でより高い階層から構成されたＮＺＰ  ＣＳＩ−ＲＳリソースは最低インデックス値を持つチャンネル状態情報基準信号（ＣＳＩ−ＲＳ）リソース、又は表２にある第１  ＮＺＰ  ＣＳＩ−ＲＳリソースであることで予め決定され、これはＲＲＣ信号オーバーヘッドを節減する。
【００６５】
多くの実施形態はＣＳＩプロセス（又はＴＰ）の最大数（例えば、１、３、４）が送信モード１０（ＴＭ１０）−可能端末（ＵＥ）で端末（ＵＥ）の能力であることができることを認識する。端末（ＵＥ）がただ一つのＣＳＩプロセスのみを行うことができる時、動的点選択（ｄｙｎａｍｉｃ  ｐｏｉｎｔ  ｓｅｌｅｃｔｉｏｎ）（ＤＰＳ）はサポートできない。この場合に、ダウンリンク制御情報（ＤＣＩ）フォーマット２Ｄに対してただ一つのセットのＰＱパラメーターのみを構成することだけで十分である。ダウンリンク制御情報（ＤＣＩ）フォーマット２Ｄに対して追加的なオーバーヘッド節減を達成するため、新しいビット（ら）（例えば、ＰＱビット（ら）と言及される例えば、一つ又は２個の新しいビット）は端末（ＵＥ）がただ一つのＣＳＩプロセスのみを行うことができる場合には存在しない。類似のオーバーヘッド節減は、さらに、多数のＣＳＩプロセスを行うことができるが一つのＣＳＩプロセスだけで構成された端末（ＵＥ）に対して達成されることができる。ＰＱビット（ら）を除去することに対する代案として、ＰＱビット（ら）はＣＳＩプロセスの数が１といってもダウンリンク制御情報（ＤＣＩ）フォーマット２Ｄに相変わらず存在することができるが、ＰＱビット（ら）は予備ビットと考慮される。
【００６６】
ＣＳＩプロセスの数が１であれば、ＲＲＣはただ一つのセットのＰＱパラメーターのみを構成し、端末（ＵＥ）はダウンリンク制御情報（ＤＣＩ）フォーマット２Ｄによってスケジューリングされた物理的ダウンリンク共有チャンネル（ＰＤＳＣＨ）を受信する時、構成されたＰＱパラメーターによって物理的ダウンリンク共有チャンネルリソース要素（ＰＤＳＣＨ  ＲＥ）マッピング及びＱＣＬ動作を仮定する。例えば、多数のＣＳＩプロセスが構成された場合（例えば、以下の表６に例示されたように）に対して仮定するＰＱパラメーターのセットを決定するのにｎＳＣＩＤ及び単一ＰＱビットが用いられる場合、ただ一つのＣＳＩプロセスだけが構成される時、及びネットワークによってただ一つのＰＱパラメーターだけが構成される場合、端末（ＵＥ）動作は以下の表７に例示される。
【００６７】
【表６】
2019071636.tif 000009
【００６８】
【表７】
2019071636.tif 000010
【００６９】
ＣＳＩプロセスの数が１であるが、ＰＱパラメーターの多数のセットを構成するのがＲＲＣに許容された場合、端末（ＵＥ）はＰＱパラメーターの第１セットだけが適用可能なことで仮定する。追加的に、ＰＱビットの存在は以下の表８で例示される。
【００７０】
【表８】
2019071636.tif 000011
【００７１】
多くの実施形態で、ＰＱビットの存在はＲＲＣによって構成された物理的ダウンリンク共有チャンネルリソース要素（ＰＤＳＣＨ  ＲＥ）マッピング及びＱＣＬパラメーターに対して状態の数に依存することができるが、構成されたＣＳＩプロセスの数には依存しないこともある。このような実施形態の多数の実施形態は表９乃至表１２に例示される。表９及び表１０はｎＳＣＩＤがＰＱ指示（ｉｎｄｉｃａｔｉｏｎ）の再使用された実施形態を図示し、表１１及び表１２は２個の新しいビットがＰＱ指示に導入した実施例を図示する。
【００７２】
表１０及び表１２で、ＰＱパラメーターのセットの数が１を超過する限り、新しいＰＱビット（ら）は存在し、他の実施形態は以下の表１３に例示される。端末（ＵＥ）動作は前記の表７に例示されたことと同じである。
【００７３】
【表９】
2019071636.tif 000012
【００７４】
【表１０】
2019071636.tif 000013
【００７５】
【表１１】
2019071636.tif 000014
【００７６】
【表１２】
2019071636.tif 000015
【００７７】
表１３はＤＣＩフォーマット２ＤでＰＱビットの存在を例示する。
【００７８】
【表１３】
2019071636.tif 000016
【００７９】
多くの実施形態で２個のＣＳＩプロセスが構成された実施形態でＰＱビット（ら）の存在又は数はＣＲＳポートの数、ＣＲＳ周波数移動、ＭＢＳＦＮサブフレーム構成、（選択的な）ＰＱパラメーターに仮定された）ＰＤＳＣＨ開始シンボルが以下の表１４に示したようにＲＲＣによって構成されるか否かによってさらに従属されることができる。ＣＲＳポートの数（ＣＲＳポート  ＃）、ＣＲＳ周波数移動、ＭＢＳＦＮサブフレーム構成、及びＰＤＳＣＨ開始シンボルは選択的な（ｏｐｔｉｏｎａｌ）ＰＱパラメーターと仮定されるが、その理由はこれらがＣｏＭＰシナリオ  １、２、３には適用可能であるが、ＣｏＭＰシナリオ４には適用可能ではないからである。これらが存在しなければ、ＣｏＭＰシナリオ４が暗示されて物理的ダウンリンク共有チャンネルリソース要素（ＰＤＳＣＨ  ＲＥ）マッピング及びＱＣＬに対する状態の数は減少されることができる。表１４は  ＤＣＩフォーマット２ＤでＰＱビット（ら）の存在を例示する。
【００８０】
【表１４】
2019071636.tif 000017
【００８１】
図７は、本発明の多くの実施形態によって端末（ＵＥ）に対するＱＣＬ動作を決定するプロセスを示す。例えば、図７に示されたプロセスは図４にある受信機４１０及び／又は図５にある端末（ＵＥ、５０５）によって行われることができる。追加的に、プロセスはＱＣＬ動作を端末（ＵＥ）に指示するＴＰ（５１０及び５１５）のネットワーク５２０により行われることができる。
【００８２】
プロセスは端末（ＵＥ）が送信モード１０（ＴＭ１０）と設定されるか否か及びＱＣＬ類型Ｂが構成されるのか否かを決定することによって開始する（段階７０５）。例えば、段階７０５で、このプロセスはＬＴＥ（ｌｏｎｇ  ｔｅｒｍ  ｅｖｏｌｕｔｉｏｎ）無線通信システムにおいてサービングセルに対して送信モード１０（ＴＭ１０）と設定された端末（ＵＥ、例えば、Ｒｅｌｅａｓｅ  １１  ＵＥ）に適用可能である。このプロセスはさらに、ダウンリンク制御情報（ＤＣＩ）フォーマット１Ａが用いられてＱＣＬ類型Ｂ動作がより高い階層の信号によって構成された時適用されることができる。端末（ＵＥ）が送信モード１０（ＴＭ１０）と設定されなかったら（例えば、ＴＭ１乃至ＴＭ９で構成されたら）、端末（ＵＥ）は段階７２０に対しての後述するＱＣＬ動作１を用いることができる。
【００８３】
端末（ＵＥ）が送信モード１０（ＴＭ１０）から構成されると、このプロセスはダウンリンク制御情報（ＤＣＩ）フォーマット１Ａによってスケジューリングされた物理的ダウンリンク共有チャンネル（ＰＤＳＣＨ）送信のためのＣＲＣがセル無線ネットワークの一時的識別子（Ｃ−ＲＮＴＩ）を用いてスクランブリングされるか否かを決定する（段階７１０）。セル無線ネットワークの一時的識別子（Ｃ−ＲＮＴＩ）スクランブリングが用いられると、プロセスは物理的ダウンリンク共有チャンネル（ＰＤＳＣＨ）送信の送信スキーム（ｓｃｈｅｍｅ）がｎｏｎ−ＭＢＳＦＮ（又は通常的な）サブフレーム構成を用いるか及び物理的ダウンリンク共有チャンネル（ＰＤＳＣＨ）送信がアンテナポート０から送信されるか、若しくはＴｘＤスキーム（ｓｃｈｅｍｅ）が用いられるか否かを決定する（段階７１５）。ｎｏｎ−ＭＢＳＦＮサブフレーム構成及びアンテナポート０又はＴｘＤ  スキーム（ｓｃｈｅｍｅ）が用いると、プロセスは以後の端末（ＵＥ）が物理的ダウンリンク共有チャンネル（ＰＤＳＣＨ）  受信のためにＱＣＬ動作１を用いることを決定し（段階７２０）、以後プロセスは終了する。例えば、段階７２０で、端末（ＵＥ）はＱＣＬ動作１でセル特定基準信号（ＣＲＳ）及び物理的ダウンリンク共有チャンネル（ＰＤＳＣＨ）が準共同−位置されたことで仮定することができる。
【００８４】
しかし、ｎｏｎ−ＭＢＳＦＮサブフレーム構成及びアンテナポート０又はＴｘＤスキーム（ｓｃｈｅｍｅ）が使用されなかったら、プロセスはダウンリンク制御情報（ＤＣＩ）フォーマット  １Ａによってスケジューリングされた物理的ダウンリンク共有チャンネル（ＰＤＳＣＨ）送信の送信スキーム（ｓｃｈｅｍｅ）がＭＢＳＦＮサブフレーム構成を用いて物理的ダウンリンク共有チャンネル（ＰＤＳＣＨ）送信がアンテナポート７から送信されたことで決定する（段階７２５）。プロセスは以後端末（ＵＥ）が物理的ダウンリンク共有チャンネル（ＰＤＳＣＨ）受信のためにＱＣＬ動作２を用いることを決定する（段階７３０）。例えば、段階７３０で、端末（ＵＥ）は物理的階層信号によって指示された物理的ダウンリンク共有チャンネル復調基準信号（ＰＤＳＣＨ  ＤＭＲＳ）及び特定チャンネル状態情報基準信号（ＣＳＩ−ＲＳ）リソースが準共同−位置されたこと（例えば、ＱＣＬ類型Ｂ）と仮定したことを除いては、端末（ＵＥ）はＱＣＬ動作２でセル特定基準信号（ＣＲＳ）、チャンネル状態情報基準信号（ＣＳＩ−ＲＳ）、及び復調ギスン信号（ＤＭＲＳ）が準共同−位置されないことで仮定することができる。
【００８５】
段階７１０へリターンし、セル無線ネットワークの一時的識別子（Ｃ−ＲＮＴＩ）スクラムブルリングが使用されなかったら、プロセスは物理的ダウンリンク共有チャンネル（ＰＤＳＣＨ）送信のための巡回冗長検査（ＣＲＣ）が半永久的リソース割り当て無線ネットワークの一時的識別子  （ＳＰＳ  Ｃ−ＲＮＴＩ）を用いてスクランブリングされるか否かを決定する（段階７３５）。物理的ダウンリンク共有チャンネル（ＰＤＳＣＨ）送信のための巡回冗長検査（ＣＲＣ）が半永久的リソース割り当て無線ネットワークの一時的識別子（ＳＰＳ  Ｃ−ＲＮＴＩ）を用いてスクランブリングされると、プロセスは端末（ＵＥ）が物理的ダウンリンク共有チャンネル（ＰＤＳＣＨ）受信のためにＱＣＬ動作２を用いることを決定し（段階７３０）、以後プロセスは終了する。
【００８６】
図７は、端末（ＵＥ）に対してＱＣＬ動作を決定するプロセスの仕事実施例を都市しているが多くの変更が図７に成ることができる。例えば、一連の段階が示しているが、各図面にある多くの段階はオーバーラップされたり、並列で発生したり、相違する手順で発生したり、又は多数回発生することができる。
【００８７】
本発明は例示的な実施例に説明されたが、多くの変更及び変形がこの技術分野に通常の知識を有する者に提案されることができる。本発明は添付された請求範囲内にある変更と変形を含むことに意図される。
【符号の説明】
【００８８】
１００  無線システム
１０１−１０３  ベースステーション
１１１−１１６  端末
１２０  カバレージ領域
１２５  カバレージ領域
１３０  ネットワーク
２００  送信経路回路
２０５  変調ブロック
２１０  直列−並列ブロック
２１５  Ｎ  ＩＦＦＴブロック
２２０  並列−直列ブロック
２２５  サイクリックプレフィックス追加ブロック
２３０  アップ−コンバータ
２５５  ダウン変換器
２６０  サイクリックプレフィックス除去ブロック
２６５  直列−並列ブロック
２７０  サイズＮ高速フーリエ変換ブロック
２７５  並列−直列ブロック
２８０  復調ブロック
３００  受信経路回路
４０５  送信機
４１０  受信機
４１５  アンテナ
４２０  位相移動機
４２５  プロセッシング回路
４３０  コントローラー
４３５  アンテナ
４４５  プロセッシング回路
４５０  コントローラー
５００  多重点通信システム
５０５  端末
５２０  ネットワーク
【図１】
2019071636.tif 000018
【図２】
2019071636.tif 000019
【図３】
2019071636.tif 000020
【図４】
2019071636.tif 000021
【図５】
2019071636.tif 000022
【図６】
2019071636.tif 000023
【図７】
2019071636.tif 000024